(57)【要約】      （修正有）【課題】移動局装置が物理上りリンクチャネルで１１ビットより多いＡＣＫ／ＮＡＣＫを効率的に送信する。【解決手段】基地局装置と通信する移動局装置であって、前記基地局装置から受信した複数のトランスポートブロックに対する複数のＡＣＫ／ＮＡＣＫから２つのＡＣＫ／ＮＡＣＫ系列を生成し、前記２つのＡＣＫ／ＮＡＣＫ系列を別々に符号化し、２つの符号ビット系列を生成し、前記ＡＣＫ／ＮＡＣＫを物理上りリンク制御チャネルで送信するか物理上りリンク共用チャネルで送信するかに応じて、２つのＡＣＫ／ＮＡＣＫ系列が異なる変調シンボルに対応されるように、前記２つの符号ビット系列を異なる方法で連結し、前記連結した符号ビット系列から生成した信号を前記基地局装置へ送信する。【選択図】図７
2012120236.tif 000002
【特許請求の範囲】
【請求項１】
基地局装置と移動局装置とが通信する無線通信システムであって、
前記移動局装置は、
前記基地局装置から受信した複数のトランスポートブロックに対する複数のＡＣＫ／ＮＡＣＫから２つのＡＣＫ／ＮＡＣＫ系列を生成し、
前記２つのＡＣＫ／ＮＡＣＫ系列を別々に符号化し、２つの符号ビット系列を生成し、
前記ＡＣＫ／ＮＡＣＫを物理上りリンク制御チャネルで送信するか物理上りリンク共用チャネルで送信するかに応じて、２つのＡＣＫ／ＮＡＣＫ系列が異なる変調シンボルに対応されるように、前記２つの符号ビット系列を異なる方法で連結し、
前記連結した符号ビット系列から生成した信号を前記基地局装置へ送信し、
前記基地局装置は、
前記信号を前記移動局装置から受信し、
前記受信した信号からＡＣＫ／ＮＡＣＫの復号処理をすることを特徴とする無線通信システム。
【請求項２】
基地局装置と通信する移動局装置であって、
前記基地局装置から受信した複数のトランスポートブロックに対する複数のＡＣＫ／ＮＡＣＫから２つのＡＣＫ／ＮＡＣＫ系列を生成し、
前記２つのＡＣＫ／ＮＡＣＫ系列を別々に符号化し、２つの符号ビット系列を生成し、
前記ＡＣＫ／ＮＡＣＫを物理上りリンク制御チャネルで送信するか物理上りリンク共用チャネルで送信するかに応じて、２つのＡＣＫ／ＮＡＣＫ系列が異なる変調シンボルに対応されるように、前記２つの符号ビット系列を異なる方法で連結し、
前記連結した符号ビット系列から生成した信号を前記基地局装置へ送信することを特徴とする移動局装置。
【請求項３】
前記連結する方法は、前記２つの符号ビット系列を、所定のビット数単位で交互に連結する方法を含むことを特徴とする請求項２に記載の移動局装置。
【請求項４】
前記連結する方法は、前記２つの符号ビット系列のうち一方の符号ビット系列の最下位ビットに他方の符号ビット系列を連結する方法を含むことを特徴とする請求項２に記載の移動局装置。
【請求項５】
移動局装置と通信する基地局装置であって、
前記移動局装置が、前記基地局装置から受信した複数のトランスポートブロックに対する複数のＡＣＫ／ＮＡＣＫから２つのＡＣＫ／ＮＡＣＫ系列を生成し、前記２つのＡＣＫ／ＮＡＣＫ系列を別々に符号化し、２つの符号ビット系列を生成し、前記ＡＣＫ／ＮＡＣＫを物理上りリンク制御チャネルで送信するか物理上りリンク共用チャネルで送信するかに応じて、２つのＡＣＫ／ＮＡＣＫ系列が異なる変調シンボルに対応されるように、前記２つの符号ビット系列を異なる方法で連結し、前記連結した符号ビット系列から生成した信号を受信することを特徴とする基地局装置。
【請求項６】
基地局装置と通信する移動局装置に用いられる無線通信方法であって、
前記基地局装置から受信した複数のトランスポートブロックに対する複数のＡＣＫ／ＮＡＣＫから２つのＡＣＫ／ＮＡＣＫ系列を生成し、前記２つのＡＣＫ／ＮＡＣＫ系列を別々に符号化し、２つの符号ビット系列を生成するステップと、
前記ＡＣＫ／ＮＡＣＫを物理上りリンク制御チャネルで送信するか物理上りリンク共用チャネルで送信するかに応じて、２つのＡＣＫ／ＮＡＣＫ系列が異なる変調シンボルに対応されるように、前記２つの符号ビット系列を異なる方法で連結するステップと、
前記連結した符号ビット系列から生成した信号を基地局装置へ送信するステップと、を有することを特徴とする無線通信方法。
【請求項７】
前記連結する方法は、前記２つの符号ビット系列を、所定のビット数単位で交互に連結する方法を含むことを特徴とする請求項６に記載の無線通信方法。
【請求項８】
前記連結する方法は、前記２つの符号ビット系列のうち一方の符号ビット系列の最下位ビットに他方の符号ビット系列を連結する方法を含むことを特徴とする請求項６に記載の無線通信方法。
【請求項９】
移動局装置と通信する基地局装置に用いられる無線通信方法であって、
前記移動局装置が、前記基地局装置から受信した複数のトランスポートブロックに対する複数のＡＣＫ／ＮＡＣＫから２つのＡＣＫ／ＮＡＣＫ系列を生成し、前記２つのＡＣＫ／ＮＡＣＫ系列を別々に符号化し、２つの符号ビット系列を生成し、前記ＡＣＫ／ＮＡＣＫを物理上りリンク制御チャネルで送信するか物理上りリンク共用チャネルで送信するかに応じて、２つのＡＣＫ／ＮＡＣＫ系列が異なる変調シンボルに対応されるように、前記２つの符号ビット系列を異なる方法で連結し、前記連結した符号ビット系列から生成した信号を受信する手段を、有することを特徴とする無線通信方法。
【請求項１０】
基地局装置と通信する移動局装置に用いられる集積回路であって、
前記基地局装置から受信した複数のトランスポートブロックに対する複数のＡＣＫ／ＮＡＣＫから２つのＡＣＫ／ＮＡＣＫ系列を生成する機能と、
前記２つのＡＣＫ／ＮＡＣＫ系列を別々に符号化し、２つの符号ビット系列を生成する機能と、
前記ＡＣＫ／ＮＡＣＫを物理上りリンク制御チャネルで送信するか物理上りリンク共用チャネルで送信するかに応じて、２つのＡＣＫ／ＮＡＣＫ系列が異なる変調シンボルに対応されるように、前記２つの符号ビット系列を異なる方法で連結し、前記連結した符号ビット系列から生成した信号を前記基地局装置に送信する機能と、を含むことを特徴とする集積回路。
【請求項１１】
前記連結する方法は、前記２つの符号ビット系列を、所定のビット数単位で交互に連結する方法を含むことを特徴とする請求項１０に記載の集積回路。
【請求項１２】
前記連結する方法は、前記２つの符号ビット系列のうち一方の符号ビット系列の最下位ビットに他方の符号ビット系列を連結する方法を含むことを特徴とする請求項１０に記載の集積回路。
【請求項１３】
移動局装置と通信する基地局装置に用いられる無線通信方法であって、
前記移動局装置が、前記基地局装置から受信した複数のトランスポートブロックに対する複数のＡＣＫ／ＮＡＣＫから２つのＡＣＫ／ＮＡＣＫ系列を生成し、前記２つのＡＣＫ／ＮＡＣＫ系列を別々に符号化し、２つの符号ビット系列を生成し、前記ＡＣＫ／ＮＡＣＫを物理上りリンク制御チャネルで送信するか物理上りリンク共用チャネルで送信するかに応じて、２つのＡＣＫ／ＮＡＣＫ系列が異なる変調シンボルに対応されるように、前記２つの符号ビット系列を異なる方法で連結し、前記連結した符号ビット系列から生成した信号を受信する機能と、を含むことを特徴とする集積回路。
【発明の詳細な説明】
【技術分野】
【０００１】
本発明は、無線通信システム、移動局装置、基地局装置、無線通信方法および集積回路に関する。
【背景技術】
【０００２】
セルラー移動通信の無線アクセス方式および無線ネットワークの進化（以下、「Long Term Evolution （LTE）」、または、「Evolved Universal Terrestrial Radio Access（EUTRA）」と称する）が、第三世代パートナーシッププロジェクト（3rd Generation Partnership Project： 3GPP）において検討されている。ＬＴＥでは、基地局装置から移動局装置への無線通信（下りリンク）の通信方式として、マルチキャリア送信である直交周波数分割多重（Orthogonal Frequency Division Multiplexing：OFDM）方式が用いられる。また、移動局装置から基地局装置への無線通信（上りリンク）の通信方式として、シングルキャリア送信であるＳＣ−ＦＤＭＡ（Single-Carrier Frequency Division Multiple Access）方式が用いられる。
【０００３】
ＬＴＥでは、移動局装置が物理下りリンク共用チャネル（Physical Downlink Shared Channel： PDSCH）で受信した下りリンクデータの復号に成功したか否かを示すＡＣＫ（Acknowledgement）／ＮＡＣＫ（Negative Acknowledgement）（HARQ-ACKとも称する）は、物理上りリンク制御チャネル（Physical Uplink Control Channel： PUCCH）または物理上りリンク共用チャネル（Physical Uplink Shared Channel： PUSCH）を用いて送信される。移動局装置がＡＣＫ／ＮＡＣＫを送信する時にＰＵＳＣＨの無線リソースを割り当てられていない場合は、ＡＣＫ／ＮＡＣＫはＰＵＣＣＨで送信される。移動局装置がＡＣＫ／ＮＡＣＫを送信する時にＰＵＳＣＨの無線リソースを割り当てられている場合は、ＡＣＫ／ＮＡＣＫはＰＵＳＣＨで送信される。ＬＴＥでは、ＰＵＳＣＨで３ビット以上のＡＣＫ／ＮＡＣＫを送信する場合には、ＡＣＫ／ＮＡＣＫをリードマラー（Reed-Muller）符号化し、３２ビットのＡＣＫ／ＮＡＣＫ符号化ビット系列を生成する。
【０００４】
ＬＴＥ−ＡではＰＵＣＣＨで１２ビットより多いＡＣＫ／ＮＡＣＫを送信する場合に、ＡＣＫ／ＮＡＣＫ系列を２つのＡＣＫ／ＮＡＣＫ系列に分割し、２つのＡＣＫ／ＮＡＣＫセグメントを別々にリードマラー符号化することが検討されている（非特許文献１）。
【０００５】
３ＧＰＰでは、ＬＴＥより広帯域な周波数帯域を利用して、さらに高速なデータの通信を実現する無線アクセス方式および無線ネットワーク（以下、「Long Term Evolution-Advanced (LTE-A)」、または、「Advanced Evolved Universal Terrestrial Radio Access(A-EUTRA)」と称する）では、ＬＴＥとの後方互換性(backward compatibility)を持つことが検討されている。つまり、ＬＴＥ−Ａの基地局装置はＬＴＥ−ＡおよびＬＴＥ両方の移動局装置と同時に無線通信を行ない、また、ＬＴＥ−Ａの移動局装置はＬＴＥ−ＡおよびＬＴＥ両方の基地局装置と無線通信を行なうことができ、ＬＴＥ−ＡはＬＴＥと同一のチャネル構造を用いる。
【０００６】
ＬＴＥ−Ａでは、ＬＴＥと同一のチャネル構造の周波数帯域（以下、「コンポーネントキャリア（Component Carrier： CC）」と称する）またはセルを複数用いて、１つの周波数帯域（広帯域な周波数帯域）として使用する技術（キャリア集約： carrier aggregation、セル集約： cell aggregation等とも称される）が提案されている。例えば、周波数帯域集約を用いた通信では、基地局装置は１つまたは複数の下りリンクコンポーネントキャリア（Downlink Component Carrier： DL CC）またはセルを用いて、移動局装置に複数の上りリンクグラントを同時に送信することができ、移動局装置は同時に受信した複数の上りリンクグラントによって割り当てられた複数の上りリンクコンポーネントキャリア（Uplink Component Carrier： UL CC）またはセルの無線リソースを用いて、基地局装置に複数のＰＵＳＣＨを同時に送信することができる。
【０００７】
ＬＴＥ−Ａでは、移動局装置が同時に受信した複数のＰＤＳＣＨそれぞれに対する複数のＡＣＫ／ＮＡＣＫを基地局装置に送信する際に、移動局装置が送信する複数のＰＵＳＣＨのうち１つのＰＵＳＣＨを用いて上りリンクデータ（上位レイヤにおける情報チャネル）（Uplink Shared Channel： UL-SCH）と複数のＡＣＫ／ＮＡＣＫをともに送信することが検討されている（非特許文献２）。
【先行技術文献】
【非特許文献】
【０００８】
【非特許文献１】"Way forward on Supporting ACK/NAK Payload Larger than 11 Bits in Rel-10 TDD", 3GPP TSG RAN WG1 Meeting #62bis, R1-105776, October 11-15, 2010.
【非特許文献２】"UCI Transmission in the Presence of UL-SCH Data", 3GPP TSGRAN WG1 Meeting #61, R1-103067, May 10-14, 2010.
【発明の概要】
【発明が解決しようとする課題】
【０００９】
しかしながら、従来の技術では、単一のＰＵＳＣＨで１１ビットより多いＡＣＫ／ＮＡＣＫを送信する際の詳細な方法が開示されていない。
【００１０】
本発明は上記の点に鑑みてなされたものであり、その目的は、移動局装置が物理上りリンクチャネルで１１ビットより多いＡＣＫ／ＮＡＣＫを効率的に送信することができる無線通信システム、移動局装置、基地局装置、無線通信方法および集積回路を提供することを目的とする。
【課題を解決するための手段】
【００１１】
（１）上記の目的を達成するために、本発明は、以下のような手段を講じた。すなわち、本発明の無線通信システムは、基地局装置と移動局装置とが通信する無線通信システムであって、 前記移動局装置は、 前記基地局装置から受信した複数のトランスポートブロックに対する複数のＡＣＫ／ＮＡＣＫから２つのＡＣＫ／ＮＡＣＫ系列を生成し、前記２つのＡＣＫ／ＮＡＣＫ系列を別々に符号化し、２つの符号ビット系列を生成し、前記ＡＣＫ／ＮＡＣＫを物理上りリンク制御チャネルで送信するか物理上りリンク共用チャネルで送信するかに応じて、前記２つの符号ビット系列を異なる方法で連結し、前記連結した符号ビット系列から生成した信号を前記基地局装置へ送信し、前記基地局装置は、 前記信号を前記移動局装置から受信し、前記受信した信号からＡＣＫ／ＮＡＣＫの復号処理をすることを特徴とする。
【００１２】
（２）また、本発明の移動局装置は、基地局装置と通信する移動局装置であって、前記基地局装置から受信した複数のトランスポートブロックに対する複数のＡＣＫ／ＮＡＣＫから２つのＡＣＫ／ＮＡＣＫ系列を生成し、前記２つのＡＣＫ／ＮＡＣＫ系列を別々に符号化し、２つの符号ビット系列を生成し、前記ＡＣＫ／ＮＡＣＫを物理上りリンク制御チャネルで送信するか物理上りリンク共用チャネルで送信するかに応じて、前記２つの符号ビット系列を異なる方法で連結し、前記連結した符号ビット系列から生成した信号を前記基地局装置へ送信することを特徴とする。
【００１３】
（３）また、本発明の移動局装置において、前記連結する方法は、前記２つの符号ビット系列を、所定のビット数単位で交互に連結する方法を含むことを特徴とする。
【００１４】
（４）また、本発明の移動局装置において、前記連結する方法は、前記２つの符号ビット系列のうち一方の符号ビット系列の最下位ビットに他方の符号ビット系列を連結する方法を含むことを特徴とする。
【００１５】
（５）また、本発明の基地局装置は、移動局装置と通信する基地局装置であって、前記移動局装置が、前記基地局装置から受信した複数のトランスポートブロックに対する複数のＡＣＫ／ＮＡＣＫから２つのＡＣＫ／ＮＡＣＫ系列を生成し、前記２つのＡＣＫ／ＮＡＣＫ系列を別々に符号化し、２つの符号ビット系列を生成し、前記ＡＣＫ／ＮＡＣＫを物理上りリンク制御チャネルで送信するか物理上りリンク共用チャネルで送信するかに応じて、前記２つの符号ビット系列を異なる方法で連結し、 前記連結した符号ビット系列から生成した信号を受信することを特徴とする。
【００１６】
（６）また、本発明の無線通信方法は、基地局装置と通信する移動局装置に用いられる無線通信方法であって、前記基地局装置から受信した複数のトランスポートブロックに対する複数のＡＣＫ／ＮＡＣＫから２つのＡＣＫ／ＮＡＣＫ系列を生成し、前記２つのＡＣＫ／ＮＡＣＫ系列を別々に符号化し、２つの符号ビット系列を生成するステップと、前記ＡＣＫ／ＮＡＣＫを物理上りリンク制御チャネルで送信するか物理上りリンク共用チャネルで送信するかに応じて、前記２つの符号ビット系列を異なる方法で連結するステップと、前記連結した符号ビット系列から生成した信号を基地局装置へ送信するステップと、を有することを特徴とする。
【００１７】
（７）また、本発明の無線通信方法において、前記連結する方法は、前記２つの符号ビット系列を、所定のビット数単位で交互に連結する方法を含むことを特徴とする。
【００１８】
（８）また、本発明の無線通信方法において、前記連結する方法は、前記２つの符号ビット系列のうち一方の符号ビット系列の最下位ビットに他方の符号ビット系列を連結する方法を含むことを特徴とする。
【００１９】
（９）また、本発明の無線通信方法は、移動局装置と通信する基地局装置に用いられる無線通信方法であって、前記移動局装置が、前記基地局装置から受信した複数のトランスポートブロックに対する複数のＡＣＫ／ＮＡＣＫから２つのＡＣＫ／ＮＡＣＫ系列を生成し、前記２つのＡＣＫ／ＮＡＣＫ系列を別々に符号化し、２つの符号ビット系列を生成し、前記ＡＣＫ／ＮＡＣＫを物理上りリンク制御チャネルで送信するか物理上りリンク共用チャネルで送信するかに応じて、前記２つの符号ビット系列を異なる方法で連結し、 前記連結した符号ビット系列から生成した信号を受信する手段を、有することを特徴とする。
【００２０】
（１０）また、本発明の集積回路は、基地局装置と通信する移動局装置に用いられる集積回路であって、前記基地局装置から受信した複数のトランスポートブロックに対する複数のＡＣＫ／ＮＡＣＫから２つのＡＣＫ／ＮＡＣＫ系列を生成する機能と、前記２つのＡＣＫ／ＮＡＣＫ系列を別々に符号化し、２つの符号ビット系列を生成する機能と、前記ＡＣＫ／ＮＡＣＫを物理上りリンク制御チャネルで送信するか物理上りリンク共用チャネルで送信するかに応じて、前記２つの符号ビット系列を異なる方法で連結し、前記連結した符号ビット系列から生成した信号を前記基地局装置に送信する機能と、を含むことを特徴とする。
【００２１】
（１１）また、本発明の集積回路において、前記連結する方法は、前記２つの符号ビット系列を、所定のビット数単位で交互に連結する方法を含むことを特徴とする。
【００２２】
（１２）また、本発明の集積回路において、前記連結する方法は、前記２つの符号ビット系列のうち一方の符号ビット系列の最下位ビットに他方の符号ビット系列を連結する方法を含むことを特徴とする。
【００２３】
（１３）また、本発明の集積回路は、移動局装置と通信する基地局装置に用いられる無線通信方法であって、前記移動局装置が、前記基地局装置から受信した複数のトランスポートブロックに対する複数のＡＣＫ／ＮＡＣＫから２つのＡＣＫ／ＮＡＣＫ系列を生成し、前記２つのＡＣＫ／ＮＡＣＫ系列を別々に符号化し、２つの符号ビット系列を生成し、前記ＡＣＫ／ＮＡＣＫを物理上りリンク制御チャネルで送信するか物理上りリンク共用チャネルで送信するかに応じて、前記２つの符号ビット系列を異なる方法で連結し、前記連結した符号ビット系列から生成した信号を受信する機能と、を含むことを特徴とする。
【発明の効果】
【００２４】
この発明によれば、移動局装置が物理上りリンクチャネルで１１ビットより多いＡＣＫ／ＮＡＣＫを効率的に送信することができる。
【図面の簡単な説明】
【００２５】
【図１】本発明の無線通信システムの概念図である。
【図２】本発明のセル集約処理の一例を示す図である。
【図３】本発明のＴＤＤの無線通信システムにおける無線フレームの構成の一例を示す図である。
【図４】本発明の下りリンクのサブフレームの構成の一例を示す概略図である。
【図５】本発明の上りリンクのサブフレームの構成の一例を示す概略図である。
【図６】本発明の移動局装置１の構成を示す概略ブロック図である。
【図７】本発明の符号化部１０７１の構成を示す概略ブロック図である。
【図８】本発明のベースシーケンスMi,nを示す表である。
【図９】本発明の連結されたＡＣＫ／ＮＡＣＫの符号化ビットｑiの一例を示す図である。
【図１０】本発明の符号化シンボルのインタリーブの方法の一例を示す図である。
【図１１】本発明のＰＵＣＣＨ生成部１０７５の構成を示す概略ブロック図である。
【図１２】本発明の基地局装置３の構成を示す概略ブロック図である。
【図１３】本発明の移動局装置１の動作の一例を示すフローチャートである。
【図１４】本発明の基地局装置３の動作の一例を示すフローチャートである。
【発明を実施するための形態】
【００２６】
以下、図面を参照しながら本発明の実施形態について詳しく説明する。
【００２７】
まず、本発明の物理チャネルについて説明する。
【００２８】
図１は、本発明の無線通信システムの概念図である。図１において、無線通信システムは、移動局装置１Ａ〜１Ｃ、および基地局装置３を具備する。図１は、基地局装置３から移動局装置１Ａ〜１Ｃへの無線通信（下りリンク）では、同期信号（Synchronization signal： SS）、下りリンク参照信号（Downlink Reference Signal： DL RS）、物理報知チャネル（Physical Broadcast Channel： PBCH）、物理下りリンク制御チャネル（Physical Downlink Control Channel： PDCCH）、物理下りリンク共用チャネル（Physical Downlink Shared Channel： PDSCH）、物理マルチキャストチャネル（Physical Multicast Channel：PMCH）、物理制御フォーマットインディケータチャネル（Physical Control Format Indicator Channel：PCFICH）、物理ＨＡＲＱインディケータチャネル（Physical Hybrid ARQ Indicator Channel： PHICH）が割り当てられることを示す。
【００２９】
図１は、移動局装置１Ａ〜１Ｃから基地局装置３への無線通信（上りリンク）では、上りリンク参照信号（Uplink Reference Signal： UL RS）、物理上りリンク制御チャネル（Physical Uplink Control Channel： PUCCH）、物理上りリンク共用チャネル（Physical Uplink Shared Channel： PUSCH）、物理ランダムアクセスチャネル（Physical Random Access Channel： PRACH）が割り当てられることを示す。以下、移動局装置１Ａ〜１Ｃを移動局装置１という。
【００３０】
同期信号は、移動局装置１が下りリンクの周波数領域および時間領域の同期をとるために用いられる信号である。下りリンク参照信号は、移動局装置１が下りリンクの周波数領域および時間領域の同期をとるために用いられたり、移動局装置１が下りリンクの受信品質を測定するために用いられたり、移動局装置１がＰＤＳＣＨやＰＤＣＣＨの伝搬路補正を行なうために用いられる信号である。
【００３１】
ＰＢＣＨは、移動局装置１で共通に用いられる制御パラメータ（システム情報）（Broadcast Channel： BCH）を報知するために用いられる物理チャネルである。ＰＢＣＨは、４０ms間隔で送信される。４０ms間隔のタイミングは、移動局装置１においてブラインド検出（blind detection）される。
【００３２】
ＰＤＣＣＨは、下りリンクアサインメント（downlink assignment、またはdownlink grantとも称する）や上りリンクグラント（uplink grant）などの下りリンク制御情報（Downlink Control Information： DCI）を送信するために用いられる物理チャネルである。下りリンクアサインメントは、ＰＤＳＣＨつまり下りリンクデータに対する変調方式および符号化率に関する情報（Modulation and Coding Scheme： MCS）、無線リソースの割り当てを示す情報などから構成される。上りリンクグラントは、ＰＵＳＣＨつまり上りリンクデータに対する変調方式および符号化率に関する情報、無線リソースの割り当てを示す情報などから構成される。
【００３３】
下りリンク制御情報には複数のフォーマットが用いられる。下りリンク制御情報のフォーマットをＤＣＩフォーマット（DCI format）と呼ぶ。下りリンクアサインメントのＤＣＩフォーマットは、基地局装置３がＰＤＳＣＨを１つの送信アンテナポートまたは送信ダイバーシチを用いて送信する場合に用いられるＤＣＩフォーマット１Ａ、基地局装置３がＰＤＳＣＨにＭＩＭＯ ＳＭ（Multiple Input Multiple Output Spatial Multiplexing）を用いて複数の下りリンクデータ（Downlink Shared Channel： DL-SCH）を送信する場合に用いられるＤＣＩフォーマット２などが用意される。
【００３４】
上りリンクグラントのＤＣＩフォーマットは、移動局装置１がＰＵＳＣＨを１つの送信アンテナポートを用いて送信する場合に用いられるＤＣＩフォーマット０、移動局装置がＰＵＳＣＨにＭＩＭＯ ＳＭを用いて複数の上りリンクデータ（Uplink Shared Channel：UL-SCH）を送信する場合に用いられるＤＣＩフォーマット０Ａなどが用意される。
【００３５】
ＭＩＭＯ ＳＭとは、複数の送信アンテナポートおよび複数の受信アンテナポートにより実現される複数の空間次元のチャネルに対して複数の信号が多重されて送受信が行なわれる技術である。ここで、アンテナポートとは信号処理に用いられる論理的なアンテナのことを示す、１つのアンテナポートは１つの物理的なアンテナにより構成されてもよいし、複数の物理的なアンテナにより構成されてもよい。
【００３６】
ＭＩＭＯ ＳＭを用いた送信側では、複数の信号に対して適切な空間チャネルを形成するための処理（プリコーディング（precoding）と称す）が行なわれて、プリコーディングの処理が行なわれた複数の信号を複数の送信アンテナを用いて送信する。ＭＩＭＯ ＳＭを用いた受信側では、複数の受信アンテナを用いて受信された複数の信号に対して空間次元のチャネルで多重された信号を適切に分離するための処理が行なわれる。
【００３７】
基地局装置３は、基地局装置３がスケジューリングしたＰＵＳＣＨで送信される上りリンクデータの数、ＰＵＳＣＨ内に空間多重される領域（以下ではレイヤもしくはLayerと呼称する）の数、上りリンクデータが配置されるレイヤ、移動局装置１が行なうプリコーディングの種類を示す情報をＤＣＩフォーマット０Ａに含めて送信する。移動局装置１は、基地局装置３から受信したＤＣＩフォーマット０Ａに基づいて、ＤＣＩフォーマット０Ａが対応するＰＵＳＣＨで送信する上りリンクデータの数、ＰＵＳＣＨ内に空間多重されるレイヤの数、上りリンクデータが配置されるレイヤ、プリコーディングの種類を決定する。
【００３８】
ＰＤＳＣＨは、ページングチャネル（Paging Channel：PCH）やＰＢＣＨで報知されない、つまりＢＣＨ以外のシステム情報や下りリンクデータを送信するために用いられる物理チャネルである。ＰＭＣＨは、ＭＢＭＳ（Multimedia Broadcast and Multicast Service）に関する情報であるマルチキャストチャネル（Multicast Channel：MCH）を送信するために用いられる物理チャネルである。
【００３９】
ＰＣＦＩＣＨは、ＰＤＣＣＨが配置される領域を示す情報を送信するために用いられる物理チャネルである。ＰＨＩＣＨは、基地局装置３が受信した上りリンクデータの復号の成否を示すＨＡＲＱインディケータを送信するために用いられる物理チャネルである。
【００４０】
基地局装置３がＰＵＳＣＨに含まれる上りリンクデータの復号に成功した場合は、ＨＡＲＱインディケータはＡＣＫ（ACKnowledgement）を示し、基地局装置３がＰＵＳＣＨに含まれる上りリンクデータの復号に失敗した場合は、ＨＡＲＱインディケータはＮＡＣＫ（Negative ACKnowledgement）を示す。尚、同一のＰＵＳＣＨに含まれる複数の上りリンクデータ毎の復号の成否を示す場合は、複数のＨＡＲＱインディケータが、複数のＰＨＩＣＨで送信される。
【００４１】
上りリンク参照信号は、基地局装置３が上りリンクの時間領域の同期をとるために用いられたり、基地局装置３が上りリンクの受信品質を測定するために用いられたり、基地局装置３がＰＵＳＣＨやＰＵＣＣＨの伝搬路補正を行なうために用いられる信号である。上りリンク参照信号は、ＳＣ−ＦＤＭＡを想定して分割された無線リソースにおいて、ＣＡＺＡＣ（Constant Amplitude and Zero Auto-Correlation）系列を用いた符号拡散が行なわれる。
【００４２】
ＣＡＺＡＣ系列とは、時間領域および周波数領域において一定振幅かつ自己相関特性に優れた系列のことである。時間領域で一定振幅であることからＰＡＰＲ（Peak to Average Power Ratio）を低く抑えることが可能である。ＤＭＲＳには、時間領域において巡回遅延が適用される。この時間領域における巡回遅延のことをサイクリックシフトと称する。尚、サイクリックシフトは周波数領域においてＣＡＺＡＣ系列をサブキャリア単位で位相回転することに相当する。
【００４３】
上りリンク参照信号には、ＰＵＳＣＨまたはＰＵＣＣＨと時間多重されて送信されＰＵＳＣＨとＰＵＣＣＨの伝搬路補償に用いられるＤＭＲＳ（Demodulation Reference Signal）と、ＰＵＳＣＨおよびＰＵＣＣＨとは独立して送信される基地局装置３が上りリンクの伝搬路の状況を推定するのに用いられるＳＲＳ（Sounding Reference Signal）がある。ＤＭＲＳには、サイクリックシフトだけでなく時間領域における拡散符号（Orthogonal Cover Code：OCC）も用いられる。
【００４４】
ＰＵＣＣＨは、下りリンクのチャネル品質を示すチャネル品質情報（Channel Quality Information）、上りリンクの無線リソースの割り当ての要求を示すスケジューリング要求（Scheduling Request：SR）、移動局装置１が受信した下りリンクデータの復号の成否を示すＡＣＫ／ＮＡＣＫ（HARQ-ACKとも称する）など、通信の制御に用いられる情報である上りリンク制御情報（Uplink Control Information：UCI）を送信するために用いられる物理チャネルである。
【００４５】
チャネル品質情報には、チャネル品質指標（Channel Quality Indicator： CQI）、ランク指標（Rank Indicator： RI）およびプレコーディングマトリックス指標（Predocing Matrix Indicator： PMI）がある。ＣＱＩは、下りリンクの物理チャネルの誤り訂正方式、誤り訂正の符号化率、データ変調多値数などの無線伝送パラメータを変更するためのチャネル品質を示す情報である。
【００４６】
ＲＩは、下りリンクにおいてＭＩＭＯ ＳＭ方式にて複数の下りリンクデータを空間多重送信する場合に、移動局装置１が基地局装置３に要求する予め送信信号系列を前処理する信号系列の単位（ストリーム）の数（Rank）を示す情報である。ＰＭＩは、ＭＩＭＯ ＳＭ方式にて空間多重送信する場合に移動局装置１が基地局装置３に要求する予め送信信号系列を前処理するプレコーディングの情報である。
【００４７】
ＰＵＳＣＨは、上りリンクデータや上りリンク制御情報を送信するために用いられる物理チャネルである。移動局装置が上りリンク制御情報を送信する時にＰＵＳＣＨの無線リソースを割り当てられていない場合は、上りリンク制御情報はＰＵＣＣＨで送信される。移動局装置が上りリンク制御情報を送信する時にＰＵＳＣＨの無線リソースを割り当てられている場合は、上りリンク制御情報はＰＵＳＣＨで送信される。尚、複数のＰＵＳＣＨの無線リソースを割り当てられている場合は、いずれか１つのＰＵＳＣＨで上りリンク制御情報を送信する。
【００４８】
ＰＲＡＣＨは、ランダムアクセスプリアンブルを送信するために使用される物理チャネルである。ＰＲＡＣＨは、移動局装置１が基地局装置３と時間領域の同期をとることを最大の目的とし、その他に、初期アクセス、ハンドオーバ、再接続要求、および上りリンクの無線リソースの割り当ての要求に用いられる。
【００４９】
上りリンクデータ（UL-SCH）、下りリンクデータ（DL-SCH）、マルチキャストチャネル（MCH）、ＰＣＨおよびＢＣＨなどはトランスポートチャネルである。上りリンクデータをＰＵＳＣＨで送信する単位および下りリンクデータをＰＤＳＣＨで送信する単位は、トランスポートブロック（transport block）と呼ばれる。トランスポートブロックは、ＭＡＣ（Media Access Control）層で取り扱われる単位であり、トランスポートブロック毎にＨＡＲＱ（再送信）の制御が行なわれる。
【００５０】
物理層ではトランスポートブロックはコードワード（Cord Word： CW）に対応付けられ、コードワード毎に符号化などの信号処理が行なわれる。トランスポートブロックサイズは、トランスポートブロックのビット数（ペイロードサイズ）である。移動局装置１は上りリンクグラントや下りリンクアサインメントに含まれるＰＵＳＣＨまたはＰＤＳＣＨの無線リソースの割り当てを示す情報によって示される物理リソースブロック（Physical Resource Block; PRB）の数と、ＰＵＳＣＨまたはＰＤＳＣＨの変調方式および符号化率に関する情報（MCSまたはMCS&RV（Redundancy Version））からトランスポートブロックサイズを認識する。
【００５１】
以下、本発明のセル集約（キャリア集約）について説明する。
【００５２】
図２は、本発明のセル集約処理の一例を示す図である。図２において、横軸は周波数領域、縦軸は時間領域を示す。図２で示されるセル集約処理では、３つのサービングセル（serving cell）（サービングセル１、サービングセル２、サービングセル３）が集約される。集約される複数のサービングセルのうち１つのサービングセルはプライマリーセル（Primary cell： Pcell）である。プライマリーセルは、ＬＴＥのセルと同等の機能を持つサービングセルである。
【００５３】
プライマリーセルを除いたサービングセルはセカンダリーセル（Secondary cell： Scell）である。セカンダリーセルはプライマリーセルよりも機能が制限されたセルであり、主にＰＤＳＣＨおよび／またはＰＵＳＣＨの送受信のために使用される。例えば、移動局装置１はプライマリーセルでのみランダムアクセスを行なう。また、移動局装置１はセカンダリーセルのＰＢＣＨおよびＰＤＳＣＨで送信されるページングおよびシステム情報を受信しなくてもよい。
【００５４】
下りリンクにおいてサービングセルに対応するキャリアは下りリンクコンポーネントキャリア（Downlink Component Carrier： DL CC）であり、上りリンクにおいてサービングセルに対応するキャリアは上りリンクコンポーネントキャリア（Uplink Component Carrier： UL CC）である。下りリンクにおいてプライマリーセルに対応するキャリアは下りリンクプライマリーコンポーネントキャリア（Downlink Primary Component Carrier： DL PCC）であり、上りリンクにおいてプライマリーセルに対応するキャリアは上りリンクプライマリーコンポーネントキャリア（Uplink Primary Component Carrier： UL PCC）である。下りリンクにおいてセカンダリーセルに対応するキャリアは下りリンクセカンダリーコンポーネントキャリア（Downlink Secondary Component Carrier： DL SCC）であり、上りリンクにおいてセカンダリーセルに対応するキャリアは上りリンクセカンダリーコンポーネントキャリア（Uplink Secondary Component Carrier： UL SCC）である。
【００５５】
基地局装置３は、プライマリーセルとして必ずＤＬ ＰＣＣとＵＬ ＰＣＣの両方を設定する。また、基地局装置３は、セカンダリーセルとしてＤＬ ＳＣＣのみ、またはＤＬＳＣＣとＵＬ ＳＣＣの両方を設定することができる。
【００５６】
また、サービングセルの周波数またはキャリア周波数はサービング周波数またはサービングキャリア周波数と呼称され、プライマリーセルの周波数またはキャリア周波数はプライマリー周波数またはプライマリーキャリア周波数と呼称され、セカンダリーセルの周波数またはキャリア周波数はセカンダリー周波数またはセカンダリーキャリア周波数と呼称される。
【００５７】
移動局装置１と基地局装置３は、始めに１つのサービングセルを使用して通信を開始し、通信を開始した後に基地局装置３は、ＲＲＣシグナル（Radio Resource Control signal）を使用して１つのプライマリーセルと１つまたは複数のセカンダリーセルのセットを移動局装置１に設定する。
【００５８】
図２において、サービングセル１がプライマリーセルであり、サービングセル２とサービングセル３がセカンダリーセルである。サービングセル１（プライマリーセル）にはＤＬ ＰＣＣとＵＬ ＰＣＣの両方が設定されており、サービングセル２（セカンダリーセル）にはＤＬ ＳＣＣ−１とＵＬ ＳＣＣ−２の両方が設定されており、サービングセル３（セカンダリーセル）にはＤＬ ＳＣＣ−２のみが設定されている。
【００５９】
ＤＬ ＣＣおよびＵＬ ＣＣで使用されるチャネルは、ＬＴＥと同一のチャネル構造を持つ。図２において、ＤＬ ＣＣ各々には、斜線でハッチングがされた領域が示すＰＨＩＣＨとＰＣＦＩＣＨとＰＤＣＣＨが配置される領域と、ドットでハッチングがされた領域が示すＰＤＳＣＨが配置される領域がある。ＰＨＩＣＨとＰＣＦＩＣＨとＰＤＣＣＨは、周波数多重および／または時間多重される。ＰＨＩＣＨとＰＣＦＩＣＨとＰＤＣＣＨが周波数多重および／または時間多重される領域と、ＰＤＳＣＨが配置される領域は時間多重される。ＵＬ ＣＣ各々には、灰色の領域が示すＰＵＣＣＨが配置される領域と、横線でハッチングがされた領域が示すＰＵＳＣＨが配置される領域とが周波数多重される。
【００６０】
セル集約では、１つのサービングセル（DL CC）で最大１つのＰＤＳＣＨが送信されることができ、１つのサービングセル（UL CC）で最大１つのＰＵＳＣＨが送信されることができる。図２では、３つのＤＬ ＣＣを使用して同時に最大３つのＰＤＳＣＨが送信されることができ、２つのＵＬ ＣＣを使用して同時に最大２つのＰＵＳＣＨが送信されることができる。
【００６１】
また、セル集約では、プライマリーセルのＰＤＳＣＨの無線リソースの割り当てを示す情報を含む下りリンクアサインメントとプライマリーセルのＰＵＳＣＨの無線リソースの割り当てを示す情報を含む上りリンクグラントは、プライマリーセルのＰＤＣＣＨで送信される。セカンダリーセルのＰＤＳＣＨの無線リソースの割り当てを示す情報を含む下りリンクアサインメントとセカンダリーセルのＰＵＳＣＨの無線リソースの割り当てを示す情報を含む上りリンクグラントがＰＤＣＣＨで送信される1つのサービングセルは、基地局装置３によって設定される。この設定は移動局装置１毎に異なってもよい。
【００６２】
移動局装置１は、あるセカンダリーセルのＰＤＳＣＨの無線リソースの割り当てを示す情報を含む下りリンクアサインメントとＰＵＳＣＨの無線リソースの割り当てを示す情報を含む上りリンクグラントが異なるサービングセルで送信されると設定された際には、このセカンダリーセルでＰＤＣＣＨのデコードをしない。例えば、図２においてサービングセル２のＰＤＳＣＨの無線リソースの割り当てを示す情報を含む下りリンクアサインメントとＰＵＳＣＨの無線リソースの割り当てを示す情報を含む上りリンクグラントがサービングセル１で送信され、サービングセル３のＰＤＳＣＨの無線リソースの割り当てを示す情報を含む下りリンクアサインメントとＰＵＳＣＨの無線リソースの割り当てを示す情報を含む上りリンクグラントがサービングセル３で送信されると設定された際は、移動局装置１はサービングセル１とサービングセル３でＰＤＣＣＨをデコードし、サービングセル２でＰＤＣＣＨのデコードをしない。
【００６３】
基地局装置３は、下りリンクアサインメントと上りリンクグラントに下りリンクアサインメントと上りリンクグラントがＰＤＳＣＨまたはＰＵＳＣＨの無線リソースを割り当てるサービングセルを示す情報であるキャリアインディケータ（Carrier Indicator）を含むか否かをサービングセル毎に設定する。ＰＨＩＣＨは、ＰＨＩＣＨがＡＣＫ／ＮＡＣＫを示すＰＵＳＣＨの無線リソースの割り当てを示す情報が含まれる上りリンクグラントが送信されたサービングセルで送信される。
【００６４】
ＦＤＤ（Frequency Division Duplex）の無線通信システムでは、単一のサービングセルに対応するＤＬ ＣＣとＵＬ ＣＣは異なる周波数に構成される。ＴＤＤ（Time Division Duplex）の無線通信システムでは、単一のサービングセルに対応するＤＬ ＣＣとＵＬ ＣＣは同一の周波数に構成され、サービング周波数において上りリンクサブフレームと下りリンクサブフレームが時間多重される。
【００６５】
図３は、本発明のＴＤＤの無線通信システムにおける無線フレームの構成の一例を示す図である。図３において、横軸は周波数領域、縦軸は時間領域を示す。図３において、白色の四角は下りリンクサブフレームを示し、斜線でハッチングがされた四角は下りリンクサブフレームを示し、ドットでハッチングがされた四角はスペシャルサブフレームを示す。サブフレームに付された番号（＃ｉ）は無線フレーム内のサブフレームの番号を示している。
【００６６】
下りリンクサブフレームでは、ＰＤＣＣＨやＰＤＳＣＨなどの下りリンクの信号が送信される。上りリンクサブフレームでは、ＰＵＣＣＨやＰＵＳＣＨなどの上りリンクの信号が送信される。スペシャルサブフレームは、３つの領域ＤｗＰＴＳ（Downlink Pilot Time Slot）およびＧＰ（Guard Period）およびＵｐＰＴＳ（Uplink Pilot Time Slot）を含む。ＤｗＰＴＳとＧＰとＵｐＰＴＳは時間多重される。ＤｗＰＴＳはＰＤＣＣＨやＰＤＳＣＨなどの下りリンクの信号が送信される領域である。ＵｐＰＴＳはＳＲＳおよび／またはＰＲＡＣＨが送信される領域であり、ＵｐＰＴＳではＰＵＣＣＨおよびＰＵＳＣＨは送信されない。ＧＰは移動局装置１および基地局装置３が上りリンクの送受信と下りリンクの送受信をスイッチするための期間である。
【００６７】
セル集約される全てのサービングセルは同一のサブフレームパターンを持つ。つまり、あるタイミングにおいて、移動局装置１と基地局装置３はセル集約される全てのサービングセルで同じ種類のサブフレームを用いた無線通信をする。図３において、移動局装置１がサービングセル１からサービングセル３のサブフレーム＃８とサブフレーム＃９とサブフレーム＃０とサブフレーム＃１（図３の太い点線で囲まれたサブフレーム）のＰＤＳＣＨで受信した下りリンクデータに対する複数のＡＣＫ／ＮＡＣＫはサブフレーム＃１から６つ後のサブフレーム＃７のＰＵＣＣＨまたはＰＵＳＣＨで送信される。また、移動局装置１がサービングセル１からサービングセル３のサブフレーム＃３からサブフレーム＃６（図３の太い実線で囲まれたサブフレーム）のＰＤＳＣＨで受信した下りリンクデータに対する複数のＡＣＫ／ＮＡＣＫはサブフレーム＃６から６つ後のサブフレーム＃２のＰＵＣＣＨまたはＰＵＳＣＨで送信される。
【００６８】
以下、本発明のサブフレームの構成について説明する。
【００６９】
図４は、本発明の下りリンクのサブフレームの構成の一例を示す概略図である。図４において、縦軸は時間領域、横軸は周波数領域である。図４に示すように、ＤＬ ＣＣのサブフレームは、複数の下りリンクの物理リソースブロック（Physical Resource Block; PRB）ペア（例えば、図４の破線で囲まれた領域）から構成されている。この下りリンクの物理リソースブロックペアは、無線リソースの割り当てなどの単位であり、予め決められた幅の周波数帯（PRB帯域幅；１８０kHz）および時間帯（２個のスロット＝１個のサブフレーム；１ms）からなる。
【００７０】
１個の下りリンクの物理リソースブロックペアは、時間領域で連続する２個の下りリンクの物理リソースブロック（PRB帯域幅×スロット）から構成される。１個の下りリンクの物理リソースブロック（図４において、太線で囲まれている単位）は、周波数領域において１２個のサブキャリア（１５kHz）から構成され、時間領域において７個のＯＦＤＭ（Orthogonal Frequency Division Multiplexing）シンボル（７１μｓ）から構成される。
【００７１】
時間領域においては、１個のサブフレーム（１ms）は２つのスロット（０．５ms）から構成される。また１つのスロットは７個のＯＦＤＭシンボル（約７１μｓ）から構成される。サブフレームと同じ時間間隔である１ｍｓのことを、送信時間間隔（Transmit TimeInterval： TTI）とも称する。周波数領域においては、ＤＬ ＣＣの帯域幅に応じて複数の下りリンクの物理リソースブロックが配置される。尚、１個のサブキャリアと１個のＯＦＤＭシンボルから構成されるユニットを下りリンクリソースエレメントと称する。
【００７２】
以下、下りリンクに割り当てられる物理チャネルの配置について説明する。下りリンクの各サブフレームには、ＰＤＣＣＨ、ＰＣＦＩＣＨ、ＰＨＩＣＨ、ＰＤＳＣＨ、および下りリンク参照信号などが配置される。ＰＤＣＣＨはサブフレームの先頭のＯＦＤＭシンボルから（図３において、右上がりの斜線でハッチングがされた領域）配置される。ＰＤＣＣＨが配置されるＯＦＤＭシンボルの数はサブフレーム毎に異なり、ＰＤＣＣＨが配置されるＯＦＤＭシンボルの数を示す情報はサブフレーム内の１番目のＯＦＤＭシンボルで送信されるＰＣＦＩＣＨで報知される。各サブフレームでは、複数のＰＤＣＣＨが周波数多重および時間多重される。
【００７３】
ＰＣＦＩＣＨはサブフレームの先頭のＯＦＤＭシンボルに配置され、ＰＤＣＣＨと周波数多重される。ＰＨＩＣＨは、ＰＤＣＣＨと同一のＯＦＤＭシンボル内で周波数多重される。各サブフレームでは、複数のＰＨＩＣＨが周波数多重および符号多重される。移動局装置１は、ＰＵＳＣＨを送信してから所定の時間後（例えば、４ms後、４サブフレーム後、４ＴＴＩ後）の下りリンクのサブフレームのＰＨＩＣＨで、このＰＵＳＣＨで送信した上りリンクデータに対するＡＣＫ／ＮＡＣＫを受信する。
【００７４】
ＰＤＳＣＨは、サブフレーム内のＰＤＣＣＨおよびＰＣＦＩＣＨおよびＰＨＩＣＨが配置されるＯＦＤＭシンボル以外のＯＦＤＭシンボル（図４において、ハッチングがされない領域）に配置される。ＰＤＳＣＨの無線リソースの割り宛ては、下りリンクアサインメントを用いて移動局装置１に示される。ＰＤＳＣＨの無線リソースは、時間領域において、このＰＤＳＣＨの割り当てを示す下りリンクアサインメントを含むＰＤＣＣＨと同一の下りリンクのサブフレームに配置される。
【００７５】
ＰＤＳＣＨと、このＰＤＳＣＨに対するＰＤＣＣＨは同じまたは異なるサービングセルに配置される。各下りリンクコンポーネントキャリアのサブフレームでは、複数のＰＤＳＣＨが周波数多重および空間多重される。下りリンク参照信号については、説明の簡略化のため図４において図示を省略するが、下りリンク参照信号は周波数領域と時間領域において分散して配置される。
【００７６】
図５は、本発明の上りリンクのサブフレームの構成の一例を示す概略図である。図５において、縦軸は時間領域、横軸は周波数領域である。図５に示すように、ＵＬ ＣＣのサブフレームは、複数の上りリンクの物理リソースブロックペア（例えば、図５の破線で囲まれた領域）から構成されている。この上りリンクの物理リソースブロックペアは、無線リソースの割り当てなどの単位であり、予め決められた幅の周波数帯（PRB帯域幅；１８０kHz）および時間帯（２個のスロット＝１個のサブフレーム；１ms）からなる。
【００７７】
１個の上りリンクの物理リソースブロックペアは、時間領域で連続する２個の上りリンクの物理リソースブロック（PRB帯域幅×スロット）から構成される。１個の上りリンクの物理リソースブロック（図５において、太線で囲まれている単位）は、周波数領域において１２個のサブキャリアから構成され、時間領域において７個のＳＣ−ＦＤＭＡ（Single-Carrier Frequency Division Multiple Access）シンボル（７１μｓ）から構成される。
【００７８】
時間領域においては、１個のサブフレーム（１ms）は２つのスロット（０．５ms）から構成される。また１つのスロットは７個のＳＣ−ＦＤＭＡシンボル（時間シンボル）（約７１μｓ）から構成される。サブフレームと同じ時間間隔である１ｍｓのことを、送信時間間隔（Transmit Time Interval： TTI）とも称する。周波数領域においては、ＵＬ  ＣＣの帯域幅に応じて複数の上りリンクの物理リソースブロックが配置される。尚、１個のサブキャリアと１個のＳＣ−ＦＤＭＡシンボルから構成されるユニットを上りリンクリソースエレメントと称する。
【００７９】
以下、上りリンクの無線フレーム内に割り当てられる物理チャネルについて説明する。上りリンクの各サブフレームには、ＰＵＣＣＨ、ＰＵＳＣＨ、ＰＲＡＣＨおよび上りリンク参照信号などが配置される。ＰＵＣＣＨは、上りリンクの帯域の両端の上りリンクの物理リソースブロック（右上がりの斜線でハッチングがされた領域）に配置される。各サブフレームでは、複数のＰＵＣＣＨが周波数多重および符号多重される。
【００８０】
ＰＵＳＣＨは、ＰＵＣＣＨが配置される上りリンクの物理リソースブロック以外の上りリンクの物理リソースブロックペア（ハッチングがされない領域）に配置される。ＰＵＳＣＨの無線リソースは、上りリンクグラントを用いて割り当てられ、この上りリンクグラントを含むＰＤＣＣＨが配置された下りリンクのサブフレームから所定の時間後（例えば、４ms後、４サブフレーム後、４ＴＴＩ後）の上りリンクのサブフレームに配置される。各サブフレームでは、複数のＰＵＳＣＨが周波数多重および空間多重される。
【００８１】
ＰＲＡＣＨが配置されるサブフレームおよび上りリンクの物理リソースブロックを示す情報は、基地局装置によって報知される。上りリンク参照信号は、ＰＵＳＣＨとＰＵＣＣＨと時間多重されて送信される。ＰＵＳＣＨと上りリンク参照信号が時間多重される場合は、上りリンク参照信号は周波数領域においてＰＵＳＣＨが割り当てられたのと同じ周波数帯域に配置され、時間領域において４番目と１１番目のＳＣ−ＦＤＭＡシンボルに配置される。ＰＵＣＣＨと上りリンク参照信号が時間多重される場合は、上りリンク参照信号は周波数領域においてＰＵＣＣＨが割り当てられたのと同じ周波数帯域に配置され、時間領域において２番目と５番目と９番目と１３番目のＳＣ−ＦＤＭＡシンボルに配置される。
【００８２】
以下、本発明の移動局装置１の装置構成について説明する。
【００８３】
図６は、本発明の移動局装置１の構成を示す概略ブロック図である。図示するように、移動局装置１は、上位層処理部１０１、制御部１０３、受信部１０５、送信部１０７および、送受信アンテナ１０９を含んで構成される。上位層処理部１０１は、無線リソース制御部１０１１、スケジューリング部１０１３を含んで構成される。受信部１０５は、復号化部１０５１、復調部１０５３、多重分離部１０５５、無線受信部１０５７とチャネル測定部１０５９を含んで構成される。送信部１０７は、符号化部１０７１、ＰＵＳＣＨ生成部１０７３、ＰＵＣＣＨ生成部１０７５、多重部１０７７、無線送信部１０７９と上りリンク参照信号生成部１０７１１を含んで構成される。
【００８４】
上位層処理部１０１は、ユーザの操作等により生成された上りリンクデータを、送信部１０７に出力する。また、上位層処理部１０１は、媒体アクセス制御（MAC： Medium Access Control）層、パケットデータ統合プロトコル（Packet Data Convergence Protocol：PDCP）層、無線リンク制御（Radio Link Control： RLC）層、無線リソース制御（Radio Resource Control： RRC）層の処理を行なう。また、上位層処理部１０１はＰＤＣＣＨで受信された下りリンク制御情報などに基づき、受信部１０５、および送信部１０７の制御を行なうために制御情報を生成し、制御部１０３に出力する。
【００８５】
上位層処理部１０１が備える無線リソース制御部１０１１は、自装置の各種設定情報の管理を行なう。例えば、無線リソース制御部１０１１は、設定されたサービングセルの管理を行なう。また、無線リソース制御部１０１１は、上りリンクの各チャネルに配置される情報を生成し、送信部１０７に出力する。無線リソース制御部１０１１は、受信した上りリンクデータの復号に成功した場合には、ＡＣＫを生成し送信部１０７にＡＣＫを出力し、受信した上りリンクデータの復号に失敗した場合には、ＮＡＣＫを生成し、送信部１０７にＮＡＣＫを出力する。
【００８６】
上位層処理部１０１が備えるスケジューリング部１０１３は、受信部１０５を介して受信した下りリンク制御情報を記憶する。スケジューリング部１０１３は、上りリンクグラントを受信したサブフレームから４つ後のサブフレームにおいて、受信された上りリンクグラントに従ってＰＵＳＣＨを送信するよう、制御部１０３を介して送信部１０７を制御する。スケジューリング部１０１３は、ＮＡＣＫを示すＨＡＲＱインディケータを受信したサブフレームから４つ後のサブフレームにおいて、スケジューリング部１０１３によって記憶されている上りリンクグラントに従ってＰＵＳＣＨの再送信を行なうよう、制御部１０３を介して送信部１０７を制御する。スケジューリング部１０１３は、下りリンクアサインメントを受信したサブフレームにおいて、受信された下りリンクアサインメントに従ってＰＤＳＣＨを受信するよう、制御部１０３を介して受信部１０５を制御する。
【００８７】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【００８８】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【００８９】
無線受信部１０５７は、送受信アンテナ１０９を介して受信した下りリンクの信号を、中間周波数に変換し（ダウンコンバート： down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval： GI）に相当する部分を除去し、ガードインターバルを除去した信号に対して高速フーリエ変換（Fast Fourier Transform： FFT）を行ない、周波数領域の信号を抽出する。
【００９０】
多重分離部１０５５は、抽出した信号をＰＨＩＣＨ、ＰＤＣＣＨ、ＰＤＳＣＨ、および下りリンク参照信号に、それぞれ分離する。尚、この分離は、下りリンクアサインメントで通知された無線リソースの割り当て情報などに基づいて行なわれる。また、多重分離部１０５５は、チャネル測定部１０５９から入力された伝搬路の推定値から、ＰＨＩＣＨとＰＤＣＣＨとＰＤＳＣＨの伝搬路の補償を行なう。また、多重分離部１０５５は、分離した下りリンク参照信号をチャネル測定部１０５９に出力する。
【００９１】
復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨに対して、ＱＰＳＫ（Quadrature Phase Shift Keying）変調方式の復調を行ない、復号化部１０５１へ出力する。復号化部１０５１は、ＰＤＣＣＨのブラインドデコーディングを試み、ブラインドデコーディングに成功した場合、復号した下りリンク制御情報と下りリンク制御情報に含まれていたＲＮＴＩを上位層処理部１０１に出力する。復調部１０５３は、ＰＤＳＣＨに対して、ＱＰＳＫ、１６ＱＡＭ（Quadrature Amplitude Modulation）、６４ＱＡＭ等の下りリンクアサインメントで通知された変調方式の復調を行ない、復号化部１０５１へ出力する。
【００９２】
復号化部１０５１は、下りリンク制御情報で通知された符号化率に関する情報に基づいて復号を行ない、復号した下りリンクデータを上位層処理部１０１へ出力する。チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。
【００９３】
送信部１０７は、制御部１０３から入力された制御信号に従って、上りリンク参照信号を生成し、上位層処理部１０１から入力された上りリンクデータや上りリンク制御情報を符号化および変調し、ＰＵＣＣＨ、ＰＵＳＣＨ、および生成した上りリンク参照信号を多重し、送受信アンテナ１０９を介して基地局装置３に送信する。
【００９４】
符号化部１０７１は、上位層処理部１０１から入力された上りリンク制御情報と上りリンクデータを符号化し、符号化ビットをＰＵＳＣＨ生成部および／またはＰＵＣＣＨ生成部に出力する。図７は、本発明の符号化部１０７１の構成を示す概略ブロック図である。符号化部１０７１は、データ符号化部１０７１ａ、ＨＡＲＱ−ＡＣＫ連結部１０７１ｂ、ＨＡＲＱ−ＡＣＫ分割部１０７１ｃ、ＲＭ符号化部１０７１ｄ、ＲＭ符号化部１０７１ｅ、符号化ビット連結部１０７１ｆとインタリーブ部１０７１ｇを含んで構成される。
【００９５】
データ符号化部１０７１ａは、基地局装置３から受信した上りリンクグラントに基づいて上位層１０１から入力された上りリンクデータａｉを符号化し、上りリンクデータの符号化ビットｆｉをインタリーブ部へ出力する。Ａは上りリンクデータのペイロードサイズ（ビット数）である。Ｇは上りリンクデータの符号化ビット数である。ＨＡＲＱ−ＡＣＫ連結部１０７１ｂは、上位層１０１から入力された複数のＡＣＫ／ＮＡＣＫを連結し、連結されたＡＣＫ／ＮＡＣＫ［ｏ０ｏ１…ｏＯ−１］をＨＡＲＱ−ＡＣＫ連結部１０７１ｃへ出力する。Ｏは、上位層１０１から入力されるＡＣＫ／ＮＡＣＫのビット数を示す、つまり、あるサブフレームで送信されるＡＣＫ／ＮＡＣＫのビット数を示す。本発明では、ＨＡＲＱ−ＡＣＫ連結部１０７１ｂはＡＣＫ／ＮＡＣＫのみを連結するが、ＡＣＫ／ＮＡＣＫおよびＣＱＩ／ＰＭＩ／ＲＩおよびＳＲをＰＵＣＣＨで送信する際には、ＨＡＲＱ−ＡＣＫ連結部１０７１ｂはＡＣＫ／ＮＡＣＫおよびＣＱＩ／ＰＭＩ／ＲＩおよびＳＲを連結してもよい。
【００９６】
ＨＡＲＱ−ＡＣＫ分割部１０７１ｃは、入力されたＡＣＫ／ＮＡＣＫ［ｏ０ｏ１…ｏＯ−１］を第１のＡＣＫ／ＮＡＣＫセグメント［ｏ０ｏ１…ｏｃｅｉｌ（Ｏ／２）−１］と第２のＡＣＫ／ＮＡＣＫセグメント［ｏｃｅｉｌ（Ｏ／２）ｏｃｅｉｌ（Ｏ／２）＋１…ｏＯ−１］に分割し、第１のＡＣＫ／ＮＡＣＫセグメントをＲＭ（Reed-Muller）符号化部１０７１ｄへ出力し、第２のＡＣＫ／ＮＡＣＫセグメントをＲＭ符号化部１０７１ｅへ出力する。第１のＡＣＫ／ＮＡＣＫセグメントのペイロードサイズ（ビット数）Ｏ(0)は（１）式で表される。第２のＡＣＫ／ＮＡＣＫのペイロードサイズ（ビット数）Ｏ(1)は（２）式で表される。ｃｅｉｌ（・）は括弧の中の数字を切り上げる関数である。
【００９７】
【数１】
2012120236.tif 000003
【数２】
2012120236.tif 000004
ＲＭ符号化部１０７１ｄは、入力された第１のＡＣＫ／ＮＡＣＫセグメントを（３）式に従ってＲＭ符号化し、第１のＡＣＫ／ＮＡＣＫセグメントの符号化ビットｑ(0)iを符号化ビット連結部１０７１ｆへ出力する。ＲＭ符号化部１０７１ｅは、入力された第２のＡＣＫ／ＮＡＣＫセグメントを（４）式に従ってＲＭ符号化し、第２のＡＣＫ／ＮＡＣＫセグメントの符号化ビットｑ(１)iを符号化ビット連結部１０７１ｆへ出力する。
【００９８】
【数３】
2012120236.tif 000005
【数４】
2012120236.tif 000006
（３）式および（４）式におけるMi,nはリードマラー符号のベースシーケンスである。図８は、本発明のベースシーケンスMi,nを示す表である。Ｑ(0)は、第１のＡＣＫ／ＮＡＣＫセグメントの符号化ビットのビット数を示す。Ｑ(1)は、第１のＡＣＫ／ＮＡＣＫセグメントの符号化ビットのビット数を示す。ＡＣＫ／ＮＡＣＫがＰＵＣＣＨで送信される場合には、Ｑ(0)とＱ(1)を２４とする。ＡＣＫ／ＮＡＣＫがＰＵＳＣＨで送信される場合には、Ｑ(0)とＱ(1)は（５）式および（６）式から算出される。つまり、移動局装置１は、ＡＣＫ／ＮＡＣＫがＰＵＳＣＨで送信される場合には、第１のＡＣＫ／ＮＡＣＫの符号化ビット数と第２のＡＣＫ／ＮＡＣＫの符号化ビット数を別々に算出する。ＡＣＫ／ＮＡＣＫがＰＵＣＣＨで送信される場合には、Ｑ(0)とＱ(1)は予め定められた値とする。これにより、第１のＡＣＫ／ＮＡＣＫセグメントおよび第２のＡＣＫ／ＮＡＣＫセグメントのペイロードサイズ（ビット数）に対応させて、第１のＡＣＫ／ＮＡＣＫセグメントおよび第２のＡＣＫ／ＮＡＣＫセグメントの送信に用いられる無線リソースの量、および第１のＡＣＫ／ＮＡＣＫセグメントおよび第２のＡＣＫ／ＮＡＣＫセグメントそれぞれの符号化ビットの数を適切に制御することができる。
【００９９】
尚、基地局装置３も、（５）式と（６）式を用いて第１のＡＣＫ／ＮＡＣＫセグメントおよび第２のＡＣＫ／ＮＡＣＫセグメントの符号化ビット数と、第１のＡＣＫ／ＮＡＣＫセグメントおよび第２のＡＣＫ／ＮＡＣＫセグメントが対応する変調シンボルの数を算出し、算出した結果に基づいてＡＣＫ／ＮＡＣＫの変調シンボルとデータの変調シンボルを分離する。
【０１００】
【数５】
2012120236.tif 000007
【数６】
2012120236.tif 000008
ＡＣＫ／ＮＡＣＫがＰＵＳＣＨで送信される場合には、Ｑ（ｉ）ｍはＡＣＫ／ＮＡＣＫとともにＰＵＳＣＨで送信される上りリンクデータの変調方式の変調多値数である。ＡＣＫ／ＮＡＣＫがＰＵＣＣＨで送信される場合には、Ｑ（ｉ）ｍはＰＵＣＣＨで送信されるＡＣＫ／ＮＡＣＫに対するＱＰＳＫ変調方式の変調多値数である。ＱＰＳＫ変調方式の変調多値数は２である。１６ＱＡＭの変調多値数は４である。６４ＱＡＭの変調多値数は６である。
【０１０１】
ｍｉｎ（・）は括弧の中で最も小さい数字を選択する関数である。ＭＰＵＳＣＨ−ｉｎｉｔｉａｌＳＣは、ＡＣＫ／ＮＡＣＫとともにＰＵＳＣＨで送信される上りリンクデータのＰＵＳＣＨ初期送信のためにスケジュールされた帯域幅を示し、サブキャリアの数で表現される。ＮＰＵＳＣＨ−ｉｎｉｔｉａｌｓｙｍｂは、ＡＣＫ／ＮＡＣＫとともにＰＵＳＣＨで送信される上りリンクデータのＰＵＳＣＨ初期送信のためのサブフレーム内のＳＣ−ＦＤＭＡシンボル数を示す。βＰＵＳＣＨｏｆｆｓｅｔは基地局装置３によって移動局装置１毎に設定され、無線リソース制御信号（Radio Resource Control signal： RRC signal）などを用いて基地局装置３から移動局装置１へ通知されるオフセット値である。Ｂ（ｋ）はＣＷｋのペイロードサイズＡ（k）とＣＷｋに負荷された巡回冗長検査符号の系列長の和を示す。ＭＰＵＳＣＨＳＣは、ＡＣＫ／ＮＡＣＫとともにＰＵＳＣＨで送信される上りリンクデータのための現在のサブフレーム内のＰＵＳＣＨ送信のためにスケジュールされた帯域幅を示し、サブキャリアの数で表現される。
【０１０２】
符号化ビット連結部１０７１ｆは、ＲＭ符号化部１０７１ｄから入力された第１のＡＣＫ／ＮＡＣＫセグメントの符号化ビットｑ(0)iと、ＲＭ符号化部１０７１ｅから入力された第２のＡＣＫ／ＮＡＣＫセグメントの符号化ビットｑ(1)iを連結する。符号化ビット連結部１０７１ｆは、ＡＣＫ／ＮＡＣＫをＰＵＳＣＨで送信する場合には、連結されたＡＣＫ／ＮＡＣＫの符号化ビットｑiをインタリーブ部１０７１ｇへ出力する。符号化ビット連結部１０７１ｆは、ＡＣＫ／ＮＡＣＫをＰＵＣＣＨで送信する場合には、連結されたＡＣＫ／ＮＡＣＫの符号化ビットｑiをＰＵＣＣＨ生成部１０７５へ出力する。
【０１０３】
符号化ビット連結部１０７１ｆは、第１のＡＣＫ／ＮＡＣＫセグメントの符号化ビットｑ(0)iと第２のＡＣＫ／ＮＡＣＫセグメントの符号化ビットｑ(1)iの連結を（７）式に基づいて行なう。ｆｌｏｏｒ（・）は括弧の中の数字を切り捨てる関数である。Ｑは連結されたＡＣＫ／ＮＡＣＫの符号化ビットｑiのビット数であり、Ｑ(0)とＱ(1)の和である。
【０１０４】
【数７】
2012120236.tif 000009
図９は、本発明の連結されたＡＣＫ／ＮＡＣＫの符号化ビットｑiの一例を示す図である。図９（ａ）は、ＡＣＫ／ＮＡＣＫがＰＵＳＣＨで送信され、ＡＣＫ／ＮＡＣＫとともにＰＵＳＣＨで送信される上りリンクデータがＱＰＳＫ変調される場合、およびＡＣＫ／ＮＡＣＫがＰＵＣＣＨで送信される場合の連結されたＡＣＫ／ＮＡＣＫの符号化ビットｑiを示す図である。図９において、第１のＡＣＫ／ＮＡＣＫセグメントの符号化ビットｑ(0)iは、太線の括弧で囲まれており、第２のＡＣＫ／ＮＡＣＫセグメントの符号化ビットｑ(1)iは、点線の括弧で囲まれている。図９（ａ）では、第１のＡＣＫ／ＮＡＣＫセグメントの符号化ビットｑ(0)iと第２のＡＣＫ／ＮＡＣＫセグメントの符号化ビットｑ(1)iが、先頭のビットから２ビットずつ交互に連結される。
【０１０５】
図９（ｂ）は、ＡＣＫ／ＮＡＣＫがＰＵＳＣＨで送信され、ＡＣＫ／ＮＡＣＫとともにＰＵＳＣＨで送信される上りリンクデータが１６ＱＡＭ変調される場合の連結されたＡＣＫ／ＮＡＣＫの符号化ビットｑiを示す図である。図９（ｂ）では、第１のＡＣＫ／ＮＡＣＫセグメントｑ(0)iの符号化ビットと第２のＡＣＫ／ＮＡＣＫセグメントの符号化ビットｑ(1)iが、先頭のビットから４ビットずつ交互に連結される。図９（ｃ）は、ＡＣＫ／ＮＡＣＫがＰＵＳＣＨで送信され、ＡＣＫ／ＮＡＣＫとともにＰＵＳＣＨで送信される上りリンクデータが６４ＱＡＭ変調される場合の連結されたＡＣＫ／ＮＡＣＫの符号化ビットｑiを示す図である。図９（ｃ）では、第１のＡＣＫ／ＮＡＣＫセグメントｑ(0)iの符号化ビットと第２のＡＣＫ／ＮＡＣＫセグメントの符号化ビットｑ(1)iが、先頭のビットから６ビットずつ交互に連結される。
【０１０６】
つまり、ＡＣＫ／ＮＡＣＫがＰＵＳＣＨで送信される場合には、第１のＡＣＫ／ＮＡＣＫセグメントｑ(0)iの符号化ビットと第２のＡＣＫ／ＮＡＣＫセグメントの符号化ビットｑ(1)iが、ＰＵＳＣＨの上りリンクデータに対応する変調方式の変調多値数と同じ数のビットずつ交互に連結される。つまり、移動局装置１の符号化ビット連結部１０７１ｆは、ＡＣＫ／ＮＡＣＫがＰＵＳＣＨで送信される場合には、ＰＵＳＣＨの上りリンクデータの変調方式に対応させて、第１のＡＣＫ／ＮＡＣＫセグメントｑ(0)iの符号化ビットと第２のＡＣＫ／ＮＡＣＫセグメントの符号化ビットｑ(1)iを連結する方法を変更する。また、移動局装置１の符号化ビット連結部１０７１ｆは、ＡＣＫ／ＮＡＣＫがＰＵＣＣＨで送信されるか、ＰＵＳＣＨで送信されるかに対応させて、第１のＡＣＫ／ＮＡＣＫセグメントｑ(0)iの符号化ビットと第２のＡＣＫ／ＮＡＣＫセグメントの符号化ビットｑ(1)iを連結する方法を変更する。
【０１０７】
インタリーブ部１０７１ｇは、データ符号化部１０７１ａから入力された上りリンクデータｆiの符号化ビットと、符号化ビット連結部１０７１ｆから入力された連結されたＡＣＫ／ＮＡＣＫの符号化ビットｑiを連結およびインタリーブし、連結された符号化ビットｈiをＰＵＳＣＨ生成部１０７３へ出力する。図１０は、本発明の符号化シンボルのインタリーブの方法の一例を示す図である。符号化シンボルは、ＰＵＳＣＨの上りリンクデータに対する変調方式の変調多値数と同じ数の符号化ビットをグループ化したものであり、１つの符号化シンボルが変調されることで１つの変調シンボルが生成される。
【０１０８】
図１０において、サブフレーム内のＳＣ−ＦＤＭＡシンボルシンボルの数と同じ数の列がある。ただし、４列目と１１列目は上りリンク参照信号（ＤＭＲＳ）のための領域なので、符号化シンボルは配置されない。図１０において、上りリンクグラントによって割り当てを示されたＰＵＳＣＨのサブキャリアの数と同じ数の列がある。
【０１０９】
図１０の同一の列に配置される符号化シンボルは変調された後に、変調シンボルがともに離散フーリエ変換（Discrete Fourier Transform： DFT）され、ＤＦＴされた信号が上りリンクグラントによって無線リソースの割り当てを示されたＰＵＳＣＨのリソースエレメントに配置される。ｉ列目の符号化シンボルから生成されたＤＦＴされた信号はサブフレーム内のｉ番目のＳＣ−ＦＤＭＡシンボルに対応するリソースエレメントに配置される。
【０１１０】
インタリーブ部１０７１は、上りリンクデータの符号化シンボルｆiとＡＣＫ／ＮＡＣＫの符号化シンボルｑiとＣＱＩ／ＰＭＩの符号化シンボルとＲＩの符号化シンボルを、図１０のように連結およびインタリーブする。本発明では、説明の簡略化のためＣＱＩ／ＰＭＩとＲＩの符号化の説明を省略する。ＡＣＫ／ＮＡＣＫの符号化シンボルは、３番目と５番目と１０番目と１２番目の列に配置される。図１０において、ＡＣＫ／ＮＡＣＫの符号化シンボルに付された数字は、ＡＣＫ／ＮＡＣＫの符号化シンボルを配置する順番を示している。ＡＣＫ／ＮＡＣＫの符号化シンボルは、最も下の行の３番目の列から順番に配置され、ＡＣＫ／ＮＡＣＫの符号化シンボルが１２番目の列まで配置されたら次の（１つ上の）行にＡＣＫ／ＮＡＣＫの符号化シンボルを配置することを繰り返す。
【０１１１】
図１０において、ＡＣＫ／ＮＡＣＫの符号化シンボルに付された数字は、図９の符号化ビットを囲む括弧に付された数字に対応している。つまり、図９において１つの括弧で囲まれた符号化ビットのグループが１つのＡＣＫ／ＮＡＣＫの符号化シンボルである。本発明では、第１のＡＣＫ／ＮＡＣＫセグメントの符号化シンボルは３列目と１０列目に配置され、サブフレーム内の３番目と１０番目のＳＣ−ＦＤＭＡシンボルで送信される。本発明では、第２のＡＣＫ／ＮＡＣＫセグメントの符号化シンボルは５列目と１２列目に配置され、サブフレーム内の５番目と１２番目のＳＣ−ＦＤＭＡシンボルで送信される。
【０１１２】
このように、第１のＡＣＫ／ＮＡＣＫセグメントの符号化ビットと第２のＡＣＫ／ＮＡＣＫセグメントの符号化ビットが異なる変調シンボルに含まれるようにすることで、基地局装置３は第１のＡＣＫ／ＮＡＣＫセグメントの変調シンボルと第２のＡＣＫ／ＮＡＣＫセグメントの変調シンボルを分離し、第１のＡＣＫ／ＮＡＣＫセグメントの変調シンボルと第２のＡＣＫ／ＮＡＣＫセグメントの変調シンボルそれぞれに対して、従来のＲＭ符号化に対する復号処理（例えば最尤判定法（Maximum Likelihood Decision： MLD））を行なえばよいので、基地局装置３の復号処理を簡略化することができる。
【０１１３】
このように、第１のＡＣＫ／ＮＡＣＫセグメントと第２のＡＣＫ／ＮＡＣＫセグメントが異なるＳＣ−ＦＤＭＡシンボルに配置されるようにすることで、ＡＣＫ／ＮＡＣＫが送信されるＰＵＳＣＨに割り当てられた無線リソースでは第１のＡＣＫ／ＮＡＣＫセグメントと第２のＡＣＫ／ＮＡＣＫセグメントの符号化ビットを充分に送信することができない場合に、ＰＵＳＣＨで送信できる第１のＡＣＫ／ＮＡＣＫセグメントの符号化シンボルと第２のＡＣＫ／ＮＡＣＫセグメントの符号化シンボルの数を均等にすることができ、第１のＡＣＫ／ＮＡＣＫセグメントと第２のＡＣＫ／ＮＡＣＫセグメントの特性を均等に保つことができる。
【０１１４】
ＰＵＳＣＨ生成部１０７３は、インタリーブ部１０７１ｇから入力された連結された符号化ビットｈiを変調して変調シンボルを生成し、図１０において同じ列に配置されている変調シンボルをＤＦＴし、ＤＦＴされたＰＵＳＣＨの信号を多重部１０７７へ出力する。
【０１１５】
図１１は、本発明のＰＵＣＣＨ生成部１０７５の構成を示す概略ブロック図である。ＰＵＣＣＨ生成部１０７５は、変調部１０７５ａ、変調シンボル分割部１０７５ｂ、複製部１０７５ｃ、複製部１０７５ｄ、乗算部１０７５ｅとＤＦＴ部１０７５ｆを含んで構成される。変調部１０７５ａは、符号化ビット連結部１０７１ｆから入力された連結されたＡＣＫ／ＮＡＣＫの符号化ビット（q0,q1,...,q47）をＱＰＳＫ変調し、ＱＰＳＫ変調シンボル（ｄ0,ｄ1,...,ｄ23）を変調シンボル分割部１０７５ｂへ出力する。（７）式に基づいて第１のＡＣＫ／ＮＡＣＫセグメントｑ(0)iの符号化ビットと第２のＡＣＫ／ＮＡＣＫセグメントｑ(1)iの符号化ビットを連結することで、ＱＰＳＫ変調シンボルｄiは第１のＡＣＫ／ＮＡＣＫセグメントの符号化ビットまたは第２のＡＣＫ／ＮＡＣＫセグメントのどちらか一方のみから生成される。
【０１１６】
変調シンボル分割部１０７５ｂは、変調部１０７５ａから入力されたＱＰＳＫ変調シンボルｄiを半分に分割し、分割された上位の変調シンボルのブロック（ｄ0,ｄ1,...,ｄ11）を複製部１０７５ｃへ出力し、分割された下位の変調シンボルのブロック（ｄ12,ｄ13,...,ｄ23）を複製部１０７５ｄへ出力する。複製部１０７５ｃは、変調シンボル分割部１０７５ｂから入力された分割された上位の変調シンボルのブロック（ｄ0,ｄ1,...,ｄ11）を５つに複製し、複製された上位の変調シンボルのブロック（ｄ0,ｄ1,...,ｄ11）を乗算部１０７５ｅへ出力する。複製部１０７５ｄは、変調シンボル分割部１０７５ｂから入力された分割された下位の変調シンボルのブロック（ｄ12,ｄ13,...,ｄ23）を５つに複製し、複製された下位の変調シンボルのブロック（ｄ12,ｄ13,...,ｄ23）を乗算部１０７５ｅへ出力する。
【０１１７】
乗算部１０７５ｅは、複製部１０７５ｃおよび複製部１０７５ｄから入力された複製された上位の変調シンボルのブロック（ｄ0,ｄ1,...,ｄ11）および複製された下位の変調シンボルのブロック（ｄ12,ｄ13,...,ｄ23）を直交符号（Orthogonal Cover Code： OCC）[w(0)w(1)w(2)w(3)w(4)]を乗算（符号拡散）し、符号拡散された上位の変調シンボルのブロック（w(i)・ｄ0,w(i)・ｄ1,...,w(i)・ｄ11）および符号拡散された下位の変調シンボルのブロック（w(i)・ｄ12,w(i)・ｄ13,...,w(i)・ｄ23）をＤＦＴ部へ出力する。尚、複製された上位の変調シンボルのブロック（ｄ0,ｄ1,...,ｄ11）および複製された下位の変調シンボルのブロック（ｄ12,ｄ13,...,ｄ23）に同じ直交符号を乗算してもよいし、異なる直交符号を乗算してもよい。
【０１１８】
ＤＦＴ部１０７５ｆは、乗算部１０７５ｅから入力された符号拡散された上位の変調シンボルのブロック（w(i)・ｄ0,w(i)・ｄ1,...,w(i)・ｄ11）および符号拡散された下位の変調シンボルのブロック（w(i)・ｄ12,w(i)・ｄ13,...,w(i)・ｄ23）を変調シンボルのブロック毎に系列長１２のＤＦＴを行ない、ＤＦＴされたＰＵＣＣＨの信号を多重部１０７７へ出力する。
【０１１９】
上りリンク参照信号生成部１０７１１は、基地局装置３を識別するための物理セル識別子（physical cell identity： PCI、Cell IDなどと称する）、上りリンク参照信号を配置する帯域幅、上りリンクグラントで通知されたサイクリックシフトなどを基に予め定められた規則で求まる、基地局装置３が既知の系列を生成し、生成した上りリンク参照信号を多重部１０７７へ出力する。
【０１２０】
多重部１０７５は、制御部１０３から入力された制御信号に従って、ＰＵＳＣＨ生成部から入力されたＰＵＳＣＨの信号および／またはＰＵＣＣＨ生成部から入力されたＰＵＣＣＨの信号および／または上りリンク参照信号生成部１０７１１から入力された上りリンク参照信号を、送信アンテナポート毎に上りリンクのリソースエレメントに多重する。
【０１２１】
無線送信部１０７７は、多重された信号を逆高速フーリエ変換（Inverse Fast Fourier Transform： IFFT）して、ＳＣ−ＦＤＭＡ方式の変調を行ない、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート： up convert）し、余分な周波数成分を除去し、電力増幅し、送受信アンテナ１０９に出力して送信する。
【０１２２】
以下、本発明の基地局装置３の装置構成について説明する。
【０１２３】
図１２は、本発明の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１とスケジューリング部３０１３を含んで構成される。また、受信部３０５は、データ復調／復号部３０５１、制御情報復調／復号部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０１２４】
上位層処理部３０１は、媒体アクセス制御（MAC： Medium Access Control）層、パケットデータ統合プロトコル（Packet Data Convergence Protocol： PDCP）層、無線リンク制御（Radio Link Control： RLC）層、無線リソース制御（Radio Resource Control： RRC）層の処理を行なう。また、上位層処理部３０１は、受信部３０５、および送信部３０７の制御を行なうために制御情報を生成し、制御部３０３に出力する。
【０１２５】
上位層処理部３０１が備える無線リソース制御部３０１１は、下りリンクのＰＤＳＣＨに配置される下りリンクデータ、ＲＲＣシグナル、ＭＡＣ ＣＥ（Control Element）を生成し、または上位ノードから取得し、ＨＡＲＱ制御部３０１３に出力する。また、無線リソース制御部３０１１は、移動局装置１各々の各種設定情報の管理をする。例えば、無線リソース制御部３０１１は、移動局装置１に設定したサービングセルの管理などを行なう。
【０１２６】
上位層処理部３０１が備えるスケジューリング部３０１３は、移動局装置１に割り当てるＰＵＳＣＨやＰＵＣＣＨの無線リソースの管理をしている。スケジューリング部３０１３は、移動局装置１にＰＵＳＣＨの無線リソースを割り当てた場合には、ＰＵＳＣＨの無線リソースの割り当てを示す上りリンクグラントを生成し、生成した上りリンクグラントを送信部３０７へ出力する。
【０１２７】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０１２８】
受信部３０５は、制御部３０３から入力された制御信号に従って、送受信アンテナ３０９を介して移動局装置１から受信した受信信号を分離、復調、復号し、復号した情報を上位層処理部３０１に出力する。
【０１２９】
無線受信部３０５７は、送受信アンテナ３０９を介して受信された上りリンクの信号を、中間周波数に変換し（ダウンコンバート： down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。無線受信部３０５７は、変換したディジタル信号からガードインターバル（Guard Interval： GI）に相当する部分を除去する。無線受信部３０５７は、ガードインターバルを除去した信号に対して高速フーリエ変換（Fast Fourier Transform： FFT）を行ない、周波数領域の信号を抽出し多重分離部３０５５に出力する。
【０１３０】
多重分離部３０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各移動局装置１に通知した上りリンクグラントに含まれる無線リソースの割り当て情報に基づいて行なわれる。多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０１３１】
多重分離部３０５５は、分離したＰＵＣＣＨとＰＵＳＣＨの信号を逆離散フーリエ変換（Inverse Discrete Fourier Transform： IDFT）し、上りリンクデータの変調シンボルと上りリンク制御情報（ACK/NACK）の変調シンボルを取得する。多重分離部３０５５は、ＰＵＳＣＨの信号から取得した上りリンクデータの変調シンボルをデータ復調／復号部３０５１へ出力する。多重分離部３０５５は、ＰＵＣＣＨの信号またはＰＵＳＣＨの信号から取得した上りリンク制御情報（ACK/NACK）の変調シンボルを制御情報復調／復号部３０５３へ出力する。
【０１３２】
チャネル測定部３０５９は、多重分離部３０５５から入力された上りリンク参照信号から伝搬路の推定値、チャネルの品質などを測定し、多重分離部３０５５および上位層処理部３０１に出力する。
【０１３３】
データ復調／復号部３０５１は、多重分離部３０５５から入力された上りリンクデータの変調シンボルを復調し、復調された上りリンクデータの符号化ビットを復号し、復号された上りリンクデータを上位層処理部３０１へ出力する。
【０１３４】
制御情報復調／復号部３０５３は、多重分離部３０５５から入力されたＡＣＫ／ＮＡＣＫの変調シンボルのうち、第１のＡＣＫ／ＮＡＣＫセグメントに対応する変調シンボルに対して最尤判定法などを用いて第１のＡＣＫ／ＮＡＣＫセグメントを復号する。制御情報復調／復号部３０５３は、多重分離部３０５５から入力されたＡＣＫ／ＮＡＣＫの変調シンボルのうち、第２のＡＣＫ／ＮＡＣＫセグメントに対応する変調シンボルに対して最尤判定法などを用いて第２のＡＣＫ／ＮＡＣＫセグメントを復号する。制御情報復調／復号部３０５３は、復号した第１のＡＣＫ／ＮＡＣＫセグメントと第２のＡＣＫ／ＮＡＣＫセグメントを連結し、連結したＡＣＫ／ＮＡＣＫを上位層処理部３０１へ出力する。
【０１３５】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＰＤＳＣＨ、および下りリンク参照信号を多重して、送受信アンテナ３０９を介して移動局装置１に信号を送信する。
【０１３６】
符号化部３０７１は、上位層処理部３０１から入力されたＨＡＲＱインディケータ、下りリンク制御情報、および下りリンクデータを、ブロック符号化、畳込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０１３７】
下りリンク参照信号生成部３０７９は、基地局装置３を識別するための物理セル識別子（ＰＣＩ）などを基に予め定められた規則で求まる、移動局装置１が既知の系列を下りリンク参照信号として生成する。多重部３０７５は、変調された各チャネルの変調シンボルと生成された下りリンク参照信号を多重する。
【０１３８】
無線送信部３０７７は、多重された変調シンボルなどを逆高速フーリエ変換（Inverse Fast Fourier Transform： IFFT）して、ＯＦＤＭ方式の変調を行ない、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート： up convert）し、余分な周波数成分を除去し、電力増幅し、送受信アンテナ３０９に出力して送信する。
【０１３９】
以下、本発明の移動局装置１と基地局装置３の動作をフローチャートで説明する。
【０１４０】
図１３は、本発明の移動局装置１の動作の一例を示すフローチャートである。まず、移動局装置１は、同一のサブフレームで送信されるＡＣＫ／ＮＡＣＫを分割し、第１のＡＣＫ／ＮＡＣＫセグメントと第２のＡＣＫ／ＮＡＣＫセグメントを生成し（ステップＳ１００）、ＡＣＫ／ＮＡＣＫセグメントそれぞれのビット数に応じて、ＡＣＫ／ＮＡＣＫセグメントそれぞれの符号化ビットの数を算出する（ステップＳ１０１）。
【０１４１】
移動局装置１は、ステップＳ１００で分割されたＡＣＫ／ＮＡＣＫセグメントを別々に符号化する（ステップＳ１０２）。移動局装置１は、ステップＳ１０２で符号化されたＡＣＫ／ＮＡＣＫセグメントの符号化ビットを連結する（ステップＳ１０３）。移動局装置１は、ステップＳ１０３のＡＣＫ／ＮＡＣＫセグメントの符号化ビットの連結方法を、ＡＣＫ／ＮＡＣＫをＰＵＣＣＨで送信するか、ＰＵＳＣＨで送信するかによって変更する。また移動局装置１は、ＡＣＫ／ＮＡＣＫをＰＵＳＣＨで送信する場合には、ステップＳ１０３のＡＣＫ／ＮＡＣＫセグメントの符号化ビットの連結方法を、ＡＣＫ／ＮＡＣＫが送信されるＰＵＳＣＨの上りリンクデータの変調方式に対応させて変更する。
【０１４２】
移動局装置１は、連結されたＡＣＫ／ＮＡＣＫの符号化ビットからＰＵＣＣＨの信号またはＰＵＳＣＨの信号を生成し、ＰＵＳＣＨまたはＰＵＣＣＨでＡＣＫ／ＮＡＣＫを基地局装置３へ送信する（ステップＳ１０４）。ステップＳ１０４の後に移動局装置１はＡＣＫ／ＮＡＣＫの送信に関する処理を終了する。
【０１４３】
図１４は、本発明の基地局装置３の動作の一例を示すフローチャートである。まず、基地局装置３は、ＡＣＫ／ＮＡＣＫセグメントそれぞれのビット数に応じて、ＡＣＫ／ＮＡＣＫセグメントそれぞれの符号化ビット数およびＡＣＫ／ＮＡＣＫセグメントそれぞれに対応する変調シンボルの数を算出する（ステップＳ２００）。基地局装置３は、ＰＵＳＣＨまたはＰＵＣＣＨからＡＣＫ／ＮＡＣＫの変調シンボルを取得し（ステップＳ２０１）、ＡＣＫ／ＮＡＣＫセグメントそれぞれが対応する変調シンボル毎に復号処理を行ない、ＡＣＫ／ＮＡＣＫセグメントを復号する（ステップＳ２０２）。ステップＳ２０２の後に基地局装置３はＡＣＫ／ＮＡＣＫの受信に関する処理を終了する。
【０１４４】
尚、本発明では、第１のＡＣＫ／ＮＡＣＫセグメントの符号化ビットと第２のＡＣＫ／ＮＡＣＫセグメントの符号化ビットを交互に連結してから、連結されたＡＣＫ／ＮＡＣＫの符号化ビットを変調したが、第１のＡＣＫ／ＮＡＣＫセグメントの符号化ビットの最下位ビットに第２のＡＣＫ／ＮＡＣＫセグメントの符号化ビットを連結し、連結されたＡＣＫ／ＮＡＣＫの符号化ビットを変調してから、第１のＡＣＫ／ＮＡＣＫセグメントに対応する変調シンボルと第２のＡＣＫ／ＮＡＣＫセグメントに対応する変調シンボルを交互に並び替えてもよい。
【０１４５】
このように、本発明では、移動局装置１は、基地局装置３から受信した複数の上りリンクデータの復号の成否を示す複数のＡＣＫ／ＮＡＣＫを分割し、前記分割されたＡＣＫ／ＮＡＣＫを別々に符号化し、前記ＡＣＫ／ＮＡＣＫが物理上りリンク制御チャネルで送信されるか物理上りリンク共用チャネルで送信されるかに対応させて、前記別々に符号化されたＡＣＫ／ＮＡＣＫの符号化ビットを連結する方法を変更し、前記連結したＡＣＫ／ＮＡＣＫの符号化ビットから生成したＡＣＫ／ＮＡＣＫの信号を物理上りリンク制御チャネルまたは物理上りリンク共用チャネルで基地局装置３へ送信し、基地局装置３は、前記ＡＣＫ／ＮＡＣＫの信号を移動局装置１から受信し、前記受信したＡＣＫ／ＮＡＣＫの信号を復号処理する。
【０１４６】
また、本発明では、移動局装置１は、基地局装置３から受信した複数の上りリンクデータの復号の成否を示す複数のＡＣＫ／ＮＡＣＫを分割し、前記分割されたＡＣＫ／ＮＡＣＫを別々に符号化し、前記ＡＣＫ／ＮＡＣＫが送信される物理上りリンク共用チャネルの上りリンクデータの変調方式に対応させて、前記別々に符号化されたＡＣＫ／ＮＡＣＫの符号化ビットを連結する方法を変更し、前記連結したＡＣＫ／ＮＡＣＫの符号化ビットから生成したＡＣＫ／ＮＡＣＫの信号を物理上りリンク共用チャネルで基地局装置３へ送信し、基地局装置３は、前記ＡＣＫ／ＮＡＣＫの信号を移動局装置１から受信し、前記受信したＡＣＫ／ＮＡＣＫの信号を復号処理する。
【０１４７】
これにより、分割されたＡＣＫ／ＮＡＣＫそれぞれの符号化ビットが異なる変調シンボルに含まれるようにすることができ、基地局装置３は分割されたＡＣＫ／ＮＡＣＫそれぞれの変調シンボルそれぞれに対して、従来のＲＭ符号化に対する復号処理を行なえばよくなり、基地局装置３の復号処理を簡略化することができる。
【０１４８】
また、本発明では、移動局装置１は、前記基地局装置から受信した複数の上りリンクデータの復号の成否を示す複数のＡＣＫ／ＮＡＣＫを分割し、前記分割されたＡＣＫ／ＮＡＣＫを別々に符号化し、前記別々に符号化されたＡＣＫ／ＮＡＣＫの符号化ビットそれぞれを物理上りリンク共用チャネルの異なる時間シンボルで基地局装置３へ送信し、基地局装置３は、前記ＡＣＫ／ＮＡＣＫの信号を移動局装置１から受信し、前記受信したＡＣＫ／ＮＡＣＫの信号を復号処理する。
【０１４９】
これにより、ＡＣＫ／ＮＡＣＫが送信されるＰＵＳＣＨに割り当てられた無線リソースではＡＣＫ／ＮＡＣＫの符号化ビットを充分に送信することができない場合に、ＰＵＳＣＨで送信できる分割されたＡＣＫ／ＮＡＣＫの符号化ビットの数を均等にすることができ、分割されたＡＣＫ／ＮＡＣＫの特性を均等に保つことができる。
【０１５０】
また、本発明では、移動局装置１は、基地局装置３から受信した複数の上りリンクデータの復号の成否を示す複数のＡＣＫ／ＮＡＣＫを分割し、前記分割されたＡＣＫ／ＮＡＣＫそれぞれのビット数を用いて前記分割されたＡＣＫ／ＮＡＣＫそれぞれの符号化ビットのビット数を算出し、基地局装置３は、移動局装置１において分割されたＡＣＫ／ＮＡＣＫそれぞれのビット数を用いて前記分割されたＡＣＫ／ＮＡＣＫそれぞれの符号化ビットのビット数を算出する。これにより、分割されたＡＣＫ／ＮＡＣＫそれぞれのビット数に対応させて、分割されたＡＣＫ／ＮＡＣＫそれぞれの送信に用いられる無線リソースの量および分割されたＡＣＫ／ＮＡＣＫそれぞれの符号化ビットの数を適切に制御することができる。
【０１５１】
（ａ）また、本発明は、以下のような態様を採ることもできる。すなわち、本発明の無線通信システムは、基地局装置と移動局装置が通信する無線通信システムであって、前記移動局装置は、前記基地局装置から受信した複数の上りリンクデータの復号の成否を示す複数のＡＣＫ／ＮＡＣＫを分割し、前記分割されたＡＣＫ／ＮＡＣＫを別々に符号化し、前記ＡＣＫ／ＮＡＣＫが物理上りリンク制御チャネルで送信されるか物理上りリンク共用チャネルで送信されるかに対応させて、前記別々に符号化されたＡＣＫ／ＮＡＣＫの符号化ビットを連結する方法を変更し、前記連結したＡＣＫ／ＮＡＣＫの符号化ビットから生成したＡＣＫ／ＮＡＣＫの信号を物理上りリンク制御チャネルまたは物理上りリンク共用チャネルで前記基地局装置へ送信し、前記基地局装置は、前記ＡＣＫ／ＮＡＣＫの信号を前記移動局装置から受信し、前記受信したＡＣＫ／ＮＡＣＫの信号を復号処理することを特徴としている。
【０１５２】
（ｂ）また、本発明の無線通信システムは、基地局装置と移動局装置が通信する無線通信システムであって、前記移動局装置は、前記基地局装置から受信した複数の上りリンクデータの復号の成否を示す複数のＡＣＫ／ＮＡＣＫを分割し、前記分割されたＡＣＫ／ＮＡＣＫを別々に符号化し、前記ＡＣＫ／ＮＡＣＫが送信される物理上りリンク共用チャネルの上りリンクデータの変調方式に対応させて、前記別々に符号化されたＡＣＫ／ＮＡＣＫの符号化ビットを連結する方法を変更し、前記連結したＡＣＫ／ＮＡＣＫの符号化ビットから生成したＡＣＫ／ＮＡＣＫの信号を物理上りリンク共用チャネルで前記基地局装置へ送信し、前記基地局装置は、前記ＡＣＫ／ＮＡＣＫの信号を前記移動局装置から受信し、前記受信したＡＣＫ／ＮＡＣＫの信号を復号処理することを特徴としている。
【０１５３】
（ｃ）また、本発明の無線通信システムは、基地局装置と移動局装置が通信する無線通信システムであって、前記移動局装置は、前記基地局装置から受信した複数の上りリンクデータの復号の成否を示す複数のＡＣＫ／ＮＡＣＫを分割し、前記分割されたＡＣＫ／ＮＡＣＫを別々に符号化し、前記別々に符号化されたＡＣＫ／ＮＡＣＫの符号化ビットそれぞれを物理上りリンク共用チャネルの異なる時間シンボルで前記基地局装置へ送信し、前記基地局装置は、前記ＡＣＫ／ＮＡＣＫの信号を前記移動局装置から受信し、前記受信したＡＣＫ／ＮＡＣＫの信号を復号処理することを特徴としている。
【０１５４】
（ｄ）また、本発明の無線通信システムは、基地局装置と移動局装置が通信する無線通信システムであって、前記移動局装置は、前記基地局装置から受信した複数の上りリンクデータの復号の成否を示す複数のＡＣＫ／ＮＡＣＫを分割し、前記分割されたＡＣＫ／ＮＡＣＫそれぞれのビット数を用いて前記分割されたＡＣＫ／ＮＡＣＫそれぞれの符号化ビットのビット数を算出し、前記基地局装置は、前記移動局装置において分割されたＡＣＫ／ＮＡＣＫそれぞれのビット数を用いて前記分割されたＡＣＫ／ＮＡＣＫそれぞれの符号化ビットのビット数を算出することを特徴としている。
【０１５５】
（ｅ）また、本発明の移動局装置は、基地局装置と通信する移動局装置であって、前記基地局装置から受信した複数の上りリンクデータの復号の成否を示す複数のＡＣＫ／ＮＡＣＫを分割し、前記分割されたＡＣＫ／ＮＡＣＫを別々に符号化し、前記ＡＣＫ／ＮＡＣＫが物理上りリンク制御チャネルで送信されるか物理上りリンク共用チャネルで送信されるかに対応させて、前記別々に符号化されたＡＣＫ／ＮＡＣＫの符号化ビットを連結する方法を変更し、前記連結したＡＣＫ／ＮＡＣＫの符号化ビットから生成したＡＣＫ／ＮＡＣＫの信号を物理上りリンク制御チャネルまたは物理上りリンク共用チャネルで前記基地局装置へ送信することを特徴としている。
【０１５６】
（ｆ）また、本発明の移動局装置は、基地局装置と通信する移動局装置であって、前記基地局装置から受信した複数の上りリンクデータの復号の成否を示す複数のＡＣＫ／ＮＡＣＫを分割し、前記分割されたＡＣＫ／ＮＡＣＫを別々に符号化し、前記ＡＣＫ／ＮＡＣＫが送信される物理上りリンク共用チャネルの上りリンクデータの変調方式に対応させて、前記別々に符号化されたＡＣＫ／ＮＡＣＫの符号化ビットを連結する方法を変更し、前記連結したＡＣＫ／ＮＡＣＫの符号化ビットから生成したＡＣＫ／ＮＡＣＫの信号を物理上りリンク共用チャネルで前記基地局装置へ送信することを特徴としている。
【０１５７】
（ｇ）また、本発明の移動局装置は、基地局装置と通信する移動局装置であって、前記基地局装置から受信した複数の上りリンクデータの復号の成否を示す複数のＡＣＫ／ＮＡＣＫを分割し、前記分割されたＡＣＫ／ＮＡＣＫを別々に符号化し、前記別々に符号化されたＡＣＫ／ＮＡＣＫの符号化ビットそれぞれを物理上りリンク共用チャネルの異なる時間シンボルで前記基地局装置へ送信することを特徴としている。
【０１５８】
（ｈ）また、本発明の移動局装置は、基地局装置と通信する移動局装置であって、前記基地局装置から受信した複数の上りリンクデータの復号の成否を示す複数のＡＣＫ／ＮＡＣＫを分割し、前記分割されたＡＣＫ／ＮＡＣＫそれぞれのビット数を用いて前記分割されたＡＣＫ／ＮＡＣＫそれぞれの符号化ビットのビット数を算出することを特徴としている。
【０１５９】
（ｉ）また、本発明の基地局装置は、  移動局装置と通信する基地局装置であって、
前記移動局装置が、自装置から受信した複数の上りリンクデータの復号の成否を示す複数のＡＣＫ／ＮＡＣＫを分割し、前記分割されたＡＣＫ／ＮＡＣＫを別々に符号化し、前記ＡＣＫ／ＮＡＣＫが物理上りリンク制御チャネルで送信されるか物理上りリンク共用チャネルで送信されるかに対応させて、前記別々に符号化されたＡＣＫ／ＮＡＣＫの符号化ビットを連結する方法を変更し、前記連結したＡＣＫ／ＮＡＣＫの符号化ビットから生成したＡＣＫ／ＮＡＣＫの信号を物理上りリンク制御チャネルまたは物理上りリンク共用チャネルで送信し、前記ＡＣＫ／ＮＡＣＫの信号を前記移動局装置から受信し、前記受信したＡＣＫ／ＮＡＣＫの信号を復号処理することを特徴としている。
【０１６０】
（ｊ）また、本発明の基地局装置は、移動局装置と通信する基地局装置であって、
前記移動局装置が、自装置から受信した複数の上りリンクデータの復号の成否を示す複数のＡＣＫ／ＮＡＣＫを分割し、前記分割されたＡＣＫ／ＮＡＣＫを別々に符号化し、前記ＡＣＫ／ＮＡＣＫが送信される物理上りリンク共用チャネルの上りリンクデータの変調方式に対応させて、前記別々に符号化されたＡＣＫ／ＮＡＣＫの符号化ビットを連結する方法を変更し、前記連結したＡＣＫ／ＮＡＣＫの符号化ビットから生成したＡＣＫ／ＮＡＣＫの信号を物理上りリンク共用チャネルで送信し、前記ＡＣＫ／ＮＡＣＫの信号を前記移動局装置から受信し、前記受信したＡＣＫ／ＮＡＣＫの信号を復号処理することを特徴としている。
【０１６１】
（ｋ）また、本発明の基地局装置は、移動局装置と通信する基地局装置であって、
前記移動局装置が、自装置から受信した複数の上りリンクデータの復号の成否を示す複数のＡＣＫ／ＮＡＣＫを分割し、前記分割されたＡＣＫ／ＮＡＣＫを別々に符号化し、前記別々に符号化されたＡＣＫ／ＮＡＣＫの符号化ビットそれぞれを物理上りリンク共用チャネルの異なる時間シンボルで送信し、前記ＡＣＫ／ＮＡＣＫの信号を前記移動局装置から受信し、前記受信したＡＣＫ／ＮＡＣＫの信号を復号処理することを特徴としている。
【０１６２】
（ｌ）また、本発明の基地局装置は、移動局装置と通信する基地局装置であって、
前記移動局装置が、自装置から受信した複数の上りリンクデータの復号の成否を示す複数のＡＣＫ／ＮＡＣＫを分割し、前記移動局装置において分割されたＡＣＫ／ＮＡＣＫそれぞれのビット数を用いて前記分割されたＡＣＫ／ＮＡＣＫそれぞれの符号化ビットのビット数を算出することを特徴としている。
【０１６３】
（ｍ）また、本発明の無線通信方法は、基地局装置と通信する移動局装置に用いられる無線通信方法であって、前記基地局装置から受信した複数の上りリンクデータの復号の成否を示す複数のＡＣＫ／ＮＡＣＫを分割するステップと、前記分割されたＡＣＫ／ＮＡＣＫを別々に符号化するステップと、前記ＡＣＫ／ＮＡＣＫが物理上りリンク制御チャネルで送信されるか物理上りリンク共用チャネルで送信されるかに対応させて、前記別々に符号化されたＡＣＫ／ＮＡＣＫの符号化ビットを連結する方法を変更するステップと、を有することを特徴としている。
【０１６４】
（ｎ）また、本発明の無線通信方法は、基地局装置と通信する移動局装置に用いられる無線通信方法であって、前記基地局装置から受信した複数の上りリンクデータの復号の成否を示す複数のＡＣＫ／ＮＡＣＫを分割するステップと、前記分割されたＡＣＫ／ＮＡＣＫを別々に符号化するステップと、前記ＡＣＫ／ＮＡＣＫが送信される物理上りリンク共用チャネルの上りリンクデータの変調方式に対応させて、前記別々に符号化されたＡＣＫ／ＮＡＣＫの符号化ビットを連結する方法を変更するステップと、を有することを特徴としている。
【０１６５】
（ｏ）また、本発明の無線通信方法は、基地局装置と通信する移動局装置に用いられる無線通信方法であって、前記基地局装置から受信した複数の上りリンクデータの復号の成否を示す複数のＡＣＫ／ＮＡＣＫを分割するステップと、前記分割されたＡＣＫ／ＮＡＣＫを別々に符号化するステップと、前記別々に符号化されたＡＣＫ／ＮＡＣＫの符号化ビットそれぞれを物理上りリンク共用チャネルの異なる時間シンボルで前記基地局装置へ送信するステップと、を有することを特徴としている。
【０１６６】
（ｐ）また、本発明の無線通信方法は、基地局装置と通信する移動局装置に用いられる無線通信方法であって、前記基地局装置から受信した複数の上りリンクデータの復号の成否を示す複数のＡＣＫ／ＮＡＣＫを分割するステップと、前記分割されたＡＣＫ／ＮＡＣＫそれぞれのビット数を用いて前記分割されたＡＣＫ／ＮＡＣＫそれぞれの符号化ビットのビット数を算出するステップと、を有することを特徴としている。
【０１６７】
（ｑ）また、本発明の無線通信方法は、移動局装置と通信する基地局装置に用いられる無線通信方法であって、
前記移動局装置が、自装置から受信した複数の上りリンクデータの復号の成否を示す複数のＡＣＫ／ＮＡＣＫを分割し、前記分割されたＡＣＫ／ＮＡＣＫを別々に符号化し、前記ＡＣＫ／ＮＡＣＫが物理上りリンク制御チャネルで送信されるか物理上りリンク共用チャネルで送信されるかに対応させて、前記別々に符号化されたＡＣＫ／ＮＡＣＫの符号化ビットを連結する方法を変更し、前記連結したＡＣＫ／ＮＡＣＫの符号化ビットから生成したＡＣＫ／ＮＡＣＫの信号を物理上りリンク制御チャネルまたは物理上りリンク共用チャネルで送信し、前記ＡＣＫ／ＮＡＣＫの信号を前記移動局装置から受信するステップと、前記受信したＡＣＫ／ＮＡＣＫの信号を復号処理するステップと、を有することを特徴としている。
【０１６８】
（ｒ）また、本発明の無線通信方法は、移動局装置と通信する基地局装置に用いられる無線通信方法であって、
前記移動局装置が、自装置から受信した複数の上りリンクデータの復号の成否を示す複数のＡＣＫ／ＮＡＣＫを分割し、前記分割されたＡＣＫ／ＮＡＣＫを別々に符号化し、前記ＡＣＫ／ＮＡＣＫが送信される物理上りリンク共用チャネルの上りリンクデータの変調方式に対応させて、前記別々に符号化されたＡＣＫ／ＮＡＣＫの符号化ビットを連結する方法を変更し、前記連結したＡＣＫ／ＮＡＣＫの符号化ビットから生成したＡＣＫ／ＮＡＣＫの信号を物理上りリンク共用チャネルで送信し、前記ＡＣＫ／ＮＡＣＫの信号を前記移動局装置から受信するステップと、前記受信したＡＣＫ／ＮＡＣＫの信号を復号処理するステップと、を有することを特徴としている。
【０１６９】
（ｓ）また、本発明の無線通信方法は移動局装置と通信する基地局装置に用いられる無線通信方法であって、前記移動局装置が、自装置から受信した複数の上りリンクデータの復号の成否を示す複数のＡＣＫ／ＮＡＣＫを分割し、前記分割されたＡＣＫ／ＮＡＣＫを別々に符号化し、前記別々に符号化されたＡＣＫ／ＮＡＣＫの符号化ビットそれぞれを物理上りリンク共用チャネルの異なる時間シンボルで前記基地局装置へ送信し、前記ＡＣＫ／ＮＡＣＫの信号を前記移動局装置から受信するステップと、前記受信したＡＣＫ／ＮＡＣＫの信号を復号処理するステップと、を有することを特徴としている。
【０１７０】
（ｔ）また、本発明の無線通信方法は、移動局装置と通信する基地局装置に用いられる無線通信方法であって、前記移動局装置が、自装置から受信した複数の上りリンクデータの復号の成否を示す複数のＡＣＫ／ＮＡＣＫを分割し、前記移動局装置において分割されたＡＣＫ／ＮＡＣＫそれぞれのビット数を用いて前記分割されたＡＣＫ／ＮＡＣＫそれぞれの符号化ビットのビット数を算出するステップを有することを特徴としている。
【０１７１】
（ｕ）また、本発明の集積回路は、基地局装置と通信する移動局装置に用いられる集積回路であって、前記基地局装置から受信した複数の上りリンクデータの復号の成否を示す複数のＡＣＫ／ＮＡＣＫを分割する機能と、前記分割されたＡＣＫ／ＮＡＣＫを別々に符号化する機能と、前記ＡＣＫ／ＮＡＣＫが物理上りリンク制御チャネルで送信されるか物理上りリンク共用チャネルで送信されるかに対応させて、前記別々に符号化されたＡＣＫ／ＮＡＣＫの符号化ビットを連結する方法を変更する機能と、を含む一連の機能が実行可能にチップ化されたことを特徴としている。
【０１７２】
（ｖ）また、本発明の集積回路は、基地局装置と通信する移動局装置に用いられる集積回路であって、前記基地局装置から受信した複数の上りリンクデータの復号の成否を示す複数のＡＣＫ／ＮＡＣＫを分割する機能と、前記分割されたＡＣＫ／ＮＡＣＫを別々に符号化する機能と、前記ＡＣＫ／ＮＡＣＫが送信される物理上りリンク共用チャネルの上りリンクデータの変調方式に対応させて、前記別々に符号化されたＡＣＫ／ＮＡＣＫの符号化ビットを連結する方法を変更する機能と、を含む一連の機能が実行可能にチップ化されたことを特徴としている。
【０１７３】
（ｗ）また、本発明の集積回路は、基地局装置と通信する移動局装置に用いられる集積回路であって、前記基地局装置から受信した複数の上りリンクデータの復号の成否を示す複数のＡＣＫ／ＮＡＣＫを分割する機能と、前記分割されたＡＣＫ／ＮＡＣＫを別々に符号化する機能と、前記別々に符号化されたＡＣＫ／ＮＡＣＫの符号化ビットそれぞれを物理上りリンク共用チャネルの異なる時間シンボルで前記基地局装置へ送信する機能と、を含む一連の機能が実行可能にチップ化されたことを特徴としている。
【０１７４】
（ｘ）また、本発明の集積回路は、基地局装置と通信する移動局装置に用いられる集積回路であって、前記基地局装置から受信した複数の上りリンクデータの復号の成否を示す複数のＡＣＫ／ＮＡＣＫを分割する機能と、前記分割されたＡＣＫ／ＮＡＣＫそれぞれのビット数を用いて前記分割されたＡＣＫ／ＮＡＣＫそれぞれの符号化ビットのビット数を算出する機能と、を含む一連の機能が実行可能にチップ化されたことを特徴としている。
【０１７５】
（ｙ）また、本発明の集積回路は、移動局装置と通信する基地局装置に用いられる集積回路であって、前記移動局装置が、自装置から受信した複数の上りリンクデータの復号の成否を示す複数のＡＣＫ／ＮＡＣＫを分割し、前記分割されたＡＣＫ／ＮＡＣＫを別々に符号化し、前記ＡＣＫ／ＮＡＣＫが物理上りリンク制御チャネルで送信されるか物理上りリンク共用チャネルで送信されるかに対応させて、前記別々に符号化されたＡＣＫ／ＮＡＣＫの符号化ビットを連結する方法を変更し、前記連結したＡＣＫ／ＮＡＣＫの符号化ビットから生成したＡＣＫ／ＮＡＣＫの信号を物理上りリンク制御チャネルまたは物理上りリンク共用チャネルで送信し、前記ＡＣＫ／ＮＡＣＫの信号を前記移動局装置から受信する機能と、前記受信したＡＣＫ／ＮＡＣＫの信号を復号処理する機能と、を含む一連の機能が実行可能にチップ化されたことを特徴としている。
【０１７６】
（ｚ）また、本発明の集積回路は、移動局装置と通信する基地局装置に用いられる集積回路であって、前記移動局装置が、自装置から受信した複数の上りリンクデータの復号の成否を示す複数のＡＣＫ／ＮＡＣＫを分割し、前記分割されたＡＣＫ／ＮＡＣＫを別々に符号化し、前記ＡＣＫ／ＮＡＣＫが送信される物理上りリンク共用チャネルの上りリンクデータの変調方式に対応させて、前記別々に符号化されたＡＣＫ／ＮＡＣＫの符号化ビットを連結する方法を変更し、前記連結したＡＣＫ／ＮＡＣＫの符号化ビットから生成したＡＣＫ／ＮＡＣＫの信号を物理上りリンク共用チャネルで前記基地局装置へ送信し、前記ＡＣＫ／ＮＡＣＫの信号を前記移動局装置から受信する機能と、前記受信したＡＣＫ／ＮＡＣＫの信号を復号処理する機能と、を含む一連の機能が実行可能にチップ化されたことを特徴としている。
【０１７７】
（Ａ）また、本発明の集積回路は、移動局装置と通信する基地局装置に用いられる集積回路であって、前記移動局装置が、自装置から受信した複数の上りリンクデータの復号の成否を示す複数のＡＣＫ／ＮＡＣＫを分割し、前記分割されたＡＣＫ／ＮＡＣＫを別々に符号化し、前記別々に符号化されたＡＣＫ／ＮＡＣＫの符号化ビットそれぞれを物理上りリンク共用チャネルの異なる時間シンボルで前記基地局装置へ送信し、
前記ＡＣＫ／ＮＡＣＫの信号を前記移動局装置から受信する機能と、前記受信したＡＣＫ／ＮＡＣＫの信号を復号処理する機能を、を含む一連の機能が実行可能にチップ化されたことを特徴としている。
【０１７８】
（Ｂ）また、本発明の集積回路は、移動局装置と通信する基地局装置に用いられる集積回路であって、前記移動局装置が、自装置から受信した複数の上りリンクデータの復号の成否を示す複数のＡＣＫ／ＮＡＣＫを分割し、前記移動局装置において分割されたＡＣＫ／ＮＡＣＫそれぞれのビット数を用いて前記分割されたＡＣＫ／ＮＡＣＫそれぞれの符号化ビットのビット数を算出する機能が、実行可能にチップ化されたことを特徴としている。
【０１７９】
本発明に関わる基地局装置３、および移動局装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ ＲＯＭ（Read Only Memory)などの各種ＲＯＭやＨＤＤ（Hard Disk Drive）に格納され、必要に応じてＣＰＵによって読み出し、修正・書き込みが行なわれる。
【０１８０】
尚、上述した実施形態における移動局装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１８１】
尚、ここでいう「コンピュータシステム」とは、移動局装置１、または基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１８２】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１８３】
また、上述した実施形態における移動局装置１、基地局装置３の一部、または全部を典型的には集積回路であるＬＳＩとして実現してもよいし、チップセットとして実現してもよい。移動局装置１、基地局装置３の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１８４】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１８５】
１（１Ａ、１Ｂ、１Ｃ）  移動局装置
３  基地局装置
１０１  上位層処理部
１０３  制御部
１０５  受信部
１０７  送信部
３０１  上位層処理部
３０３  制御部
３０５  受信部
３０７  送信部
【図１】
2012120236.tif 000010
【図２】
2012120236.tif 000011
【図３】
2012120236.tif 000012
【図４】
2012120236.tif 000013
【図５】
2012120236.tif 000014
【図６】
2012120236.tif 000015
【図７】
2012120236.tif 000016
【図８】
2012120236.tif 000017
【図９】
2012120236.tif 000018
【図１０】
2012120236.tif 000019
【図１１】
2012120236.tif 000020
【図１２】
2012120236.tif 000021
【図１３】
2012120236.tif 000022
【図１４】
2012120236.tif 000023